(57)【要約】  本発明は、情報伝送方法、ネットワーク機器および端末機器を開示する。当該方法は、コンテンションベースによりアクセスされたリソースの複数のリソースプールにおける各リソースプールのリソース情報および関連情報を含むリソースプール割当情報を決定するステップと、当該リソースプール割当情報を送信するステップとを含む。本発明に係る情報伝送方法、ネットワーク機器および端末機器は、コンテンションベースのデータ伝送を行う時に衝突が生じる確率を低減することができる。
2019534585.tif 000002
【特許請求の範囲】
【請求項１】
情報伝送方法であって、
コンテンションベースによりアクセスされたリソースの複数のリソースプールにおける各リソースプールのリソース情報および関連情報を含むリソースプール割当情報を決定するステップと、
前記リソースプール割当情報を送信するステップと
を含むことを特徴とする情報伝送方法。
【請求項２】
リソースプール割当情報を決定する前記ステップは、
サービス品質（ＱｏＳ）レベルに基づき、前記リソースプール割当情報を決定することを含み、
前記関連情報が、前記複数のリソースプールにおける各リソースプールに対応するＱｏＳレベルの情報を含む、
ことを特徴とする請求項１に記載の方法。
【請求項３】
前記方法は、
前記複数のリソースプールにおける第１のリソースプールのリソースが不足する場合に、前記複数のリソースプールにおける第２のリソースプールのリソースの一部を、ＱｏＳレベルが前記第２のリソースプールに対応するＱｏＳレベルより高い前記第１のリソースプールに調整するステップと、
前記第１のリソースプールおよび前記第２のリソースプールについての調整を指示するための第１のリソースプール調整情報を送信するステップと
をさらに含むことを特徴とする請求項２に記載の方法。
【請求項４】
リソースプール割当情報を決定する前記ステップは、
アプリケーションの優先度に基づき前記リソースプール割当情報を決定することを含み、
前記関連情報は、前記複数のリソースプールにおける各リソースプールに対応するアプリケーションの優先度の情報を含む、
ことを特徴とする請求項１に記載の方法。
【請求項５】
前記方法は、
前記複数のリソースプールにおける第３のリソースプールのリソースが不足する場合に、前記複数のリソースプールにおける第４のリソースプールのリソースの一部を、アプリケーションの優先度が前記第４のリソースプールに対応するアプリケーションの優先度より高い前記第３のリソースプールに調整するステップと、
前記第３のリソースプールおよび前記第４のリソースプールについての調整を指示するための第２のリソースプール調整情報を送信するステップと
をさらに含むことを特徴とする請求項４に記載の方法。
【請求項６】
前記関連情報は、前記複数のリソースプールにおける各リソースプールに対応する端末機器の情報を含むことを特徴とする請求項１に記載の方法。
【請求項７】
リソースプール割当情報を決定する前記ステップは、受信信号強度に基づき、前記リソースプール割当情報を決定することを含み、
同一のリソースプールに対応する端末機器に対応する受信信号強度の差は、所定範囲にある、
ことを特徴とする請求項６に記載の方法。
【請求項８】
前記方法は、
前記複数のリソースプールにおける第５のリソースプールに対応する検出率に基づき、前記第５のリソースプールに対応する端末機器の数を調整するか、または前記第５のリソースプールのリソースを調整するステップと、
前記第５のリソースプールについての調整を指示するための第３のリソースプール調整情報を送信するステップと
をさらに含むことを特徴とする請求項６に記載の方法。
【請求項９】
前記複数のリソースプールにおける第５のリソースプールに対応する検出率に基づき、前記第５のリソースプールに対応する端末機器の数を調整するか、または前記第５のリソースプールのリソースを調整する前記ステップは、
前記第５のリソースプールに対応する検出率が第１の所定値より低い場合に、前記第５のリソースプールに対応する端末機器の数を低減するか、もしくは前記第５のリソースプールのリソースを増加し、
または、
前記第５のリソースプールに対応する検出率が第２の所定値より高い場合に、前記第５のリソースプールに対応する端末機器の数を増加するか、もしくは前記第５のリソースプールのリソースを低減する、
ことを含むことを特徴とする請求項８に記載の方法。
【請求項１０】
前記方法は、
第１の端末機器が受けた干渉の状況に基づき、前記第１の端末機器に対応するリソースプールを調整するステップと、
前記第１の端末機器に対応するリソースプールについての調整を指示するための第４のリソースプール調整情報を送信するステップと
をさらに含むことを特徴とする請求項６に記載の方法。
【請求項１１】
において、第１の端末機器が受けた干渉の状況に基づき、前記第１の端末機器に対応するリソースプールを調整する前記ステップは、
前記第１の端末機器の受けた干渉が第３の所定値より大きい場合に、前記第１の端末機器に対応するリソースプールを変更するか、または前記第１の端末機器に対応するリソースプールのリソースを増加する、
ことを含むことを特徴とする請求項１０に記載の方法。
【請求項１２】
前記方法は、
前記第１の端末機器により送信された、前記第１の端末機器が受けた干渉の状況を受信するステップ、
をさらに含むことを特徴とする請求項１０または１１に記載の方法。
【請求項１３】
前記方法は、
第２の端末機器のデータトラフィックに基づき、前記第２の端末機器に対応するリソースプールを調整するステップと、
前記第２の端末機器に対応するリソースプールについての調整を指示するための第５のリソースプール調整情報を送信するステップと
をさらに含むことを特徴とする請求項６に記載の方法。
【請求項１４】
第２の端末機器のデータトラフィックに基づき、前記第２の端末機器に対応するリソースプールを調整する前記ステップは、
前記第２の端末機器のデータトラフィックが第４の所定値より大きい場合に、前記第２の端末機器に対応するリソースプールを、対応する端末機器の数がより少ないリソースプールに変更するか、もしくは前記第２の端末機器に対応するリソースプールのリソースを増加し、
または、
前記第２の端末機器のデータトラフィックが第５の所定値より小さい場合に、前記第２の端末機器に対応するリソースプールを、対応する端末機器の数がより多いリソースプールに変更するか、もしくは前記第２の端末機器に対応するリソースプールのリソースを低減する、
ことを含むことを特徴とする請求項１３に記載の方法。
【請求項１５】
前記方法は、
第３の端末機器のアクセス試行回数に基づき、前記第３の端末機器に対応するリソースプールを調整するステップと、
前記第３の端末機器に対応するリソースプールについての調整を指示するための第６のリソースプール調整情報を送信するステップと
をさらに含むことを特徴とする請求項６に記載の方法。
【請求項１６】
第３の端末機器のアクセス試行回数に基づき、前記第３の端末機器に対応するリソースプールを調整する前記ステップは、
前記第３の端末機器のアクセス試行回数が第６の所定値より大きい場合に、前記第３の端末機器に対応するリソースプールを、対応する端末機器の数がより少ないリソースプールに変更するか、もしくは前記第３の端末機器に対応するリソースプールのリソースを増加し、
または、
前記第３の端末機器のデータトラフィックが第７の所定値より小さい場合に、前記第３の端末機器に対応するリソースプールを、対応する端末機器の数がより多いリソースプールに変更するか、もしくは前記第３の端末機器に対応するリソースプールのリソースを低減する、
ことを含むことを特徴とする請求項１５に記載の方法。
【請求項１７】
前記方法は、
前記第３の端末機器により送信された前記第３の端末機器のアクセス試行回数を受信するステップをさらに含む、
ことを特徴とする請求項１５または１６に記載の方法。
【請求項１８】
前記リソースプール割当情報を送信する前記ステップは、
ブロードキャストまたは上位レイヤのシグナリングにより、前記リソースプール割当情報を送信する、
ことを含むことを特徴とする請求項１〜１７のいずれか１項に記載の方法。
【請求項１９】
情報伝送方法であって、
ネットワーク機器により送信された、コンテンションベースによりアクセスされたリソースの複数のリソースプールにおける各リソースプールのリソース情報および関連情報を含むリソースプール割当情報を受信するステップと、
前記リソースプール割当情報に基づき、第１の端末機器に対応するリソースプールを決定するステップと、
前記第１の端末機器に対応するリソースプールにおけるリソースによりデータの伝送を行うステップと
を含むことを特徴とする情報伝送方法。
【請求項２０】
前記関連情報は、前記複数のリソースプールにおける各リソースプールに対応するサービス品質（ＱｏＳ）レベルの情報を含み、
前記リソースプール割当情報に基づき、第１の端末機器に対応するリソースプールを決定する前記ステップは、
前記リソースプール割当情報に基づき、前記第１の端末機器のＱｏＳレベルに対応するリソースプールを決定する、
ことを含むことを特徴とする請求項１９に記載の方法。
【請求項２１】
前記関連情報は、前記複数のリソースプールにおける各リソースプールに対応するアプリケーションの優先度の情報を含み、
前記リソースプール割当情報に基づき、第１の端末機器に対応するリソースプールを決定する前記ステップは、
前記リソースプール割当情報に基づき、前記第１の端末機器のアプリケーションの優先度に対応するリソースプールを決定する、
ことを含むことを特徴とする請求項１９に記載の方法。
【請求項２２】
前記関連情報は、前記複数のリソースプールにおける各リソースプールに対応する端末機器の情報を含むことを特徴とする請求項１９に記載の方法。
【請求項２３】
前記方法は、
ネットワーク機器により送信された、前記第１の端末機器に対応するリソースプールについての調整を指示するためのリソースプール調整情報を受信するステップと、
前記リソースプール調整情報に基づき、前記第１の端末機器に対応するリソースプールを決定するステップと
をさらに含むことを特徴とする請求項１９〜２２のいずれか１項に記載の方法。
【請求項２４】
ネットワーク機器であって、
コンテンションベースによりアクセスされたリソースの複数のリソースプールにおける各リソースプールのリソース情報および関連情報を含むリソースプール割当情報を決定する処理モジュールと、
前記リソースプール割当情報を送信する送受信モジュールと
を含むことを特徴とするネットワーク機器。
【請求項２５】
前記処理モジュールは具体的に、サービス品質（ＱｏＳ）レベルに基づき、前記リソースプール割当情報を決定するのに用いられ、
前記関連情報は、前記複数のリソースプールにおける各リソースプールに対応するＱｏＳレベルの情報を含む、
ことを特徴とする請求項２４に記載の機器。
【請求項２６】
前記処理モジュールはさらに、
前記複数のリソースプールにおける第１のリソースプールのリソースが不足する場合に、前記複数のリソースプールにおける第２のリソースプールのリソースの一部を、ＱｏＳレベルが前記第２のリソースプールに対応するＱｏＳレベルより高い前記第１のリソースプールに調整するのに用いられ、
前記送受信モジュールはさらに、前記第１のリソースプールおよび前記第２のリソースプールについての調整を指示するための第１のリソースプール調整情報を送信するのに用いられる、
ことを特徴とする請求項２５に記載の機器。
【請求項２７】
前記処理モジュールは具体的に、
アプリケーションの優先度に基づき、前記リソースプール割当情報を決定するのに用いられ、
前記関連情報は、前記複数のリソースプールにおける各リソースプールに対応するアプリケーションの優先度の情報を含む、
ことを特徴とする請求項２４に記載の機器。
【請求項２８】
前記処理モジュールはさらに、前記複数のリソースプールにおける第３のリソースプールのリソースが不足する場合に、前記複数のリソースプールにおける第４のリソースプールのリソースの一部を、アプリケーションの優先度が前記第４のリソースプールに対応するアプリケーションの優先度より高い前記第３のリソースプールに調整するのに用いられ、
前記送受信モジュールはさらに、前記第３のリソースプールおよび前記第４のリソースプールについての調整を指示するための第２のリソースプール調整情報を送信するのに用いられる、
ことを特徴とする請求項２７に記載の機器。
【請求項２９】
前記関連情報は、前記複数のリソースプールにおける各リソースプールに対応する端末機器の情報を含むことを特徴とする請求項２４に記載の機器。
【請求項３０】
前記処理モジュールは具体的に、受信信号強度に基づき、前記リソースプール割当情報を決定するのに用いられ、
同一のリソースプールに対応する端末機器に対応する受信信号強度の差は、所定範囲にある、
ことを特徴とする請求項２９に記載の機器。
【請求項３１】
前記処理モジュールはさらに、前記複数のリソースプールにおける第５のリソースプールに対応する検出率に基づき、前記第５のリソースプールに対応する端末機器の数を調整するか、または前記第５のリソースプールのリソースを調整するのに用いられ、
前記送受信モジュールはさらに、前記第５のリソースプールについての調整を指示するための第３のリソースプール調整情報を送信するのに用いられる、
ことを特徴とする請求項２９に記載の機器。
【請求項３２】
前記処理モジュールは具体的に、
前記第５のリソースプールに対応する検出率が第１の所定値より低い場合に、前記第５のリソースプールに対応する端末機器の数を低減するか、もしくは前記第５のリソースプールのリソースを増加し、
または、
前記第５のリソースプールに対応する検出率が第２の所定値より高い場合に、前記第５のリソースプールに対応する端末機器の数を増加するか、もしくは前記第５のリソースプールのリソースを低減する、
ことを特徴とする請求項３１に記載の機器。
【請求項３３】
前記処理モジュールはさらに、第１の端末機器が受けた干渉の状況に基づき、前記第１の端末機器に対応するリソースプールを調整するのに用いられ
前記送受信モジュールはさらに、前記第１の端末機器に対応するリソースプールについての調整を指示するための第４のリソースプール調整情報を送信する、
ことを特徴とする請求項２９に記載の機器。
【請求項３４】
前記処理モジュールは具体的に、
前記第１の端末機器の受けた干渉が第３の所定値より大きい場合に、前記第１の端末機器に対応するリソースプールを変更するか、または前記第１の端末機器に対応するリソースプールのリソースを増加する、
ことを特徴とする請求項３３に記載の機器。
【請求項３５】
前記送受信モジュールはさらに、前記第１の端末機器により送信された前記第１の端末機器が受けた干渉の状況を受信するのに用いられることを特徴とする請求項３３または３４に記載の機器。
【請求項３６】
前記処理モジュールはさらに、第２の端末機器のデータトラフィックに基づき、前記第２の端末機器に対応するリソースプールを調整するのに用いられ、
前記送受信モジュールはさらに、前記第２の端末機器に対応するリソースプールについての調整を指示するための第５のリソースプール調整情報を送信する、
ことを特徴とする請求項２９に記載の機器。
【請求項３７】
前記処理モジュールは具体的に、
前記第２の端末機器のデータトラフィックが第４の所定値より大きい場合に、前記第２の端末機器に対応するリソースプールを、対応する端末機器の数がより少ないリソースプールに変更するか、もしくは第２の端末機器に対応するリソースプールのリソースを増加するのに用いられ、
または、
前記第２の端末機器のデータトラフィックが第５の所定値より小さい場合に、前記第２の端末機器に対応するリソースプールを、対応する端末機器の数がより多いリソースプールに変更するか、もしくは前記第２の端末機器に対応するリソースプールのリソースを低減するのに用いられる、
ことを特徴とする請求項３６に記載の機器。
【請求項３８】
前記処理モジュールはさらに、第３の端末機器のアクセス試行回数に基づき、前記第３の端末機器に対応するリソースプールを調整するのに用いられ、
前記送受信モジュールはさらに、前記第３の端末機器に対応するリソースプールについての調整を指示するための第６のリソースプール調整情報を送信する、
ことを特徴とする請求項２９に記載の機器。
【請求項３９】
前記処理モジュールは具体的に、前記第３の端末機器のアクセス試行回数が第６の所定値より大きい場合に、前記第３の端末機器に対応するリソースプールを、対応する端末機器の数がより少ないリソースプールに変更するか、もしくは前記第３の端末機器に対応するリソースプールのリソースを増加するのに用いられ、
または、
前記第３の端末機器のデータトラフィックが第７の所定値より小さい場合に、前記第３の端末機器に対応するリソースプールを、対応する端末機器の数がより多いリソースプールに変更するか、もしくは前記第３の端末機器に対応するリソースプールのリソースを低減するのに用いられる、
ことを特徴とする請求項３８に記載の機器。
【請求項４０】
前記送受信モジュールはさらに、前記第３の端末機器により送信された前記第３の端末機器のアクセス試行回数を受信するのに用いられることを特徴とする請求項３８または３９に記載の機器。
【請求項４１】
前記送受信モジュールは具体的に、ブロードキャストまたは上位レイヤのシグナリングにより、前記リソースプール割当情報を送信することを特徴とする請求項２４〜４０のいずれか１項に記載の機器。
【請求項４２】
端末機器であって、
ネットワーク機器により送信された、コンテンションベースによりアクセスされたリソースの複数のリソースプールにおける各リソースプールのリソース情報および関連情報を含むリソースプール割当情報を受信する送受信モジュールと、
前記リソースプール割当情報に基づき、端末機器に対応するリソースプールを決定し、前記端末機器に対応するリソースプールにおけるリソースによりデータの伝送を行う処理モジュールと
を含むことを特徴とする端末機器。
【請求項４３】
前記関連情報は、前記複数のリソースプールにおける各リソースプールに対応するサービス品質（ＱｏＳ）レベルの情報を含み、
前記処理モジュールは具体的に、前記リソースプール割当情報に基づき、前記端末機器のＱｏＳレベルに対応するリソースプールを決定するのに用いられる、
ことを特徴とする請求項４２に記載の機器。
【請求項４４】
前記関連情報は、前記複数のリソースプールにおける各リソースプールに対応するアプリケーションの優先度の情報を含み、
前記処理モジュールは具体的に、前記リソースプール割当情報に基づき、前記端末機器のアプリケーションの優先度に対応するリソースプールを決定する、
ことを特徴とする請求項４２に記載の機器。
【請求項４５】
前記関連情報は、前記複数のリソースプールにおける各リソースプールに対応する端末機器の情報を含むことを特徴とする請求項４２に記載の端末機器。
【請求項４６】
前記送受信モジュールはさらに、前記ネットワーク機器により送信された、前記端末機器に対応するリソースプールについての調整を指示するためのリソースプール調整情報を受信するのに用いられ、
前記処理モジュールはさらに、前記リソースプール調整情報に基づき、前記端末機器に対応するリソースプールを決定するのに用いられる、
ことを特徴とする請求項４２〜４５のいずれか１項に記載の機器。
【発明の詳細な説明】
【技術分野】
【０００１】
本発明は、通信の分野に関し、より詳しくは、情報伝送方法、ネットワーク機器および端末機器に関する。
【背景技術】
【０００２】
従来、端末機器が移動通信システムにアクセスする時に、ランダムにアクセスする必要があるため、これに伴い一定の遅延が生じてしまう。
【０００３】
端末機器がサイズの小さいデータパケットを伝送する場合、コンテンションベース（ｃｏｎｔｅｎｔｉｏｎ−ｂａｓｅｄ）の方式を用いるのが合理的であり、すなわちネットワーク機器がディスパッチを行うことなく、端末機器は自律的に無線リソースを選択して、ネットワーク機器にサイズの小さいデータパケットを伝送するという方式である。
【０００４】
しかしながら、上記プロセスにおいて、異なる端末機器の間には、上りリンクデータを送信するのに同一のリソースを選択するため衝突が生じる可能性があり、さらにはアクセス性能が影響されることもある。
【発明の概要】
【発明が解決しようとする課題】
【０００５】
本発明は、情報伝送方法、ネットワーク機器および端末機器を提供し、コンテンションベースのデータ伝送を行う時に衝突が生じる確率を低減することができる。
【課題を解決するための手段】
【０００６】
本発明の第１の態様として、情報伝送方法を提供する。当該方法は、コンテンションベースによりアクセスされたリソースの複数のリソースプールにおける各リソースプールのリソース情報および関連情報を含むリソースプール割当情報を決定するステップと、当該リソースプール割当情報を送信するステップとを含む。
【０００７】
本発明に係る情報伝送方法において、リソースプール割当情報により、異なる端末機器が異なるリソースプールのリソースを選択できるため、コンテンションベースのデータ伝送を行う時に衝突が生じる確率を低減することができる。
【０００８】
さらなる可能な実施形態において、リソースプール割当情報を決定する前記ステップは、サービス品質（ＱｏＳ）レベルに基づき、当該リソースプール割当情報を決定することを含み、
当該関連情報は、当該複数のリソースプールにおける各リソースプールに対応するＱｏＳレベルの情報を含む。
【０００９】
さらなる可能な実施形態において、当該方法は、当該複数のリソースプールにおける第１のリソースプールのリソースが不足する場合に、当該複数のリソースプールにおける第２のリソースプールのリソースの一部を、ＱｏＳレベルが当該第２のリソースプールに対応するＱｏＳレベルより高い当該第１のリソースプールに調整するステップと、当該第１のリソースプールおよび当該第２のリソースプールについての調整を指示するための第１のリソースプール調整情報を送信するステップとをさらに含む。
【００１０】
さらなる可能な実施形態において、リソースプール割当情報を決定する前記ステップは、アプリケーションの優先度に基づき当該リソースプール割当情報を決定することを含み、
当該関連情報は、当該複数のリソースプールにおける各リソースプールに対応するアプリケーションの優先度の情報を含む。
【００１１】
さらなる可能な実施形態において、当該方法は、当該複数のリソースプールにおける第３のリソースプールのリソースが不足する場合に、当該複数のリソースプールにおける第４のリソースプールのリソースの一部を、アプリケーションの優先度が当該第４のリソースプールに対応するアプリケーションの優先度より高い当該第３のリソースプールに調整するステップと、当該第３のリソースプールおよび当該第４のリソースプールについての調整を指示するための第２のリソースプール調整情報を送信するステップとをさらに含む。
【００１２】
さらなる可能な実施形態において、当該関連情報は、当該複数のリソースプールにおける各リソースプールに対応する端末機器の情報を含む。
【００１３】
さらなる可能な実施形態において、リソースプール割当情報を決定する前記ステップは、受信信号強度に基づき、当該リソースプール割当情報を決定し、同一のリソースプールに対応する端末機器に対応する受信信号強度の差は所定範囲にある。
【００１４】
さらなる可能な実施形態において、当該方法は、当該複数のリソースプールにおける第５のリソースプールに対応する検出率に基づき、当該第５のリソースプールに対応する端末機器の数を調整するか、または当該第５のリソースプールのリソースを調整するステップと、当該第５のリソースプールについての調整を指示するための第３のリソースプール調整情報を送信するステップとをさらに含む。
【００１５】
さらなる可能な実施形態において、当該複数のリソースプールにおける第５のリソースプールに対応する検出率に基づき、当該第５のリソースプールに対応する端末機器の数を調整するか、または当該第５のリソースプールのリソースを調整する前記ステップは、当該第５のリソースプールに対応する検出率が第１の所定値より低い場合に、当該第５のリソースプールに対応する端末機器の数を低減するか、もしくは当該第５のリソースプールのリソースを増加し、または当該第５のリソースプールに対応する検出率が第２の所定値より高い場合に、当該第５のリソースプールに対応する端末機器の数を増加するか、もしくは当該第５のリソースプールのリソースを低減することを含む。
【００１６】
さらなる可能な実施形態において、当該方法は、第１の端末機器が受けた干渉の状況に基づき、当該第１の端末機器に対応するリソースプールを調整するステップと、当該第１の端末機器に対応するリソースプールについての調整を指示するための第４のリソースプール調整情報を送信するステップとをさらに含む。
【００１７】
さらなる可能な実施形態において、第１の端末機器が受けた干渉の状況に基づき、当該第１の端末機器に対応するリソースプールを調整する前記ステップは、当該第１の端末機器の受けた干渉が第３の所定値より大きい場合に、当該第１の端末機器に対応するリソースプールを変更するか、または当該第１の端末機器に対応するリソースプールのリソースを増加することを含む。
【００１８】
さらなる可能な実施形態において、当該方法は、第１の端末機器により送信された当該第１の端末機器が受けた干渉の状況を受信するステップをさらに含む。
【００１９】
さらなる可能な実施形態において、当該方法は、第２の端末機器のデータトラフィックに基づき、当該第２の端末機器に対応するリソースプールを調整するステップと、当該第２の端末機器に対応するリソースプールについての調整を指示するための第５のリソースプール調整情報を送信するステップとをさらに含む。
【００２０】
さらなる可能な実施形態において、第２の端末機器のデータトラフィックに基づき、当該第２の端末機器に対応するリソースプールを調整する前記ステップは、当該第２の端末機器のデータトラフィックが第４の所定値より大きい場合に、当該第２の端末機器に対応するリソースプールを、対応する端末機器の数がより少ないリソースプールに変更するか、もしくは当該第２の端末機器に対応するリソースプールのリソースを増加し、または当該第２の端末機器のデータトラフィックが第５の所定値より小さい場合に、当該第２の端末機器に対応するリソースプールを、対応する端末機器の数がより多いリソースプールに変更するか、もしくは当該第２の端末機器に対応するリソースプールのリソースを低減することを含む。
【００２１】
さらなる可能な実施形態において、当該方法は、第３の端末機器のアクセス試行回数に基づき、当該第３の端末機器に対応するリソースプールを調整するステップと、当該第３の端末機器に対応するリソースプールについての調整を指示するための第６のリソースプール調整情報を送信するステップとをさらに含む。
【００２２】
さらなる可能な実施形態において、第３の端末機器のアクセス試行回数に基づき、当該第３の端末機器に対応するリソースプールを調整する前記ステップは、当該第３の端末機器のアクセス試行回数が第６の所定値より大きい場合に、当該第３の端末機器に対応するリソースプールを、対応する端末機器の数がより少ないリソースプールに変更するか、もしくは当該第３の端末機器に対応するリソースプールのリソースを増加し、または当該第３の端末機器のデータトラフィックが第７の所定値より小さい場合に、当該第３の端末機器に対応するリソースプールを、対応する端末機器の数がより多いリソースプールに変更するか、もしくは当該第３の端末機器に対応するリソースプールのリソースを低減することを含む。
【００２３】
さらなる可能な実施形態において、当該方法は、当該第３の端末機器により送信された当該第３の端末機器のアクセス試行回数を受信するステップをさらに含む。
【００２４】
さらなる可能な実施形態において、当該リソースプール割当情報を送信する前記ステップは、ブロードキャストまたは上位レイヤのシグナリングにより、リソースプール割当情報を送信することを含む。
【００２５】
さらなる可能な実施形態において、ブロードキャストまたは上位レイヤのシグナリングにより、リソースプール調整情報を送信する。
【００２６】
本発明に係る情報伝送方法において、リソースプールを割り当て、リソースプールを動的に調整することにより、コンテンションベースのデータ伝送を行う時に衝突が生じる確率を低減して、アクセス成功率を向上させることができる。
【００２７】
本発明の第２の態様として、情報伝送方法を提供する。当該方法は、ネットワーク機器により送信された、コンテンションベースによりアクセスされたリソースの複数のリソースプールにおける各リソースプールのリソース情報および関連情報を含むリソースプール割当情報を受信するステップと、当該リソースプール割当情報に基づき、第１の端末機器に対応するリソースプールを決定するステップと、当該第１の端末機器に対応するリソースプールにおけるリソースによりデータの伝送を行うステップとを含む。
【００２８】
本発明に係る情報伝送方法において、リソースプール割当情報に基づき対応するリソースプールを決定し、且つ当該リソースプールのリソースを選択してデータの伝送を行うことにより、コンテンションベースのデータ伝送を行う時に衝突が生じる確率を低減することができる。
【００２９】
さらなる可能な実施形態において、当該関連情報は、当該複数のリソースプールにおける各リソースプールに対応するサービス品質（ＱｏＳ）レベルの情報を含み、
当該リソースプール割当情報に基づき、第１の端末機器に対応するリソースプールを決定する前記ステップは、当該リソースプール割当情報に基づき、当該第１の端末機器のＱｏＳレベルに対応するリソースプールを決定することを含む。
【００３０】
さらなる可能な実施形態において、当該関連情報は、当該複数のリソースプールにおける各リソースプールに対応するアプリケーションの優先度の情報を含み、
当該リソースプール割当情報に基づき、第１の端末機器に対応するリソースプールを決定する前記ステップは、当該リソースプール割当情報に基づき、当該第１の端末機器のアプリケーションの優先度に対応するリソースプールを決定することを含む。
【００３１】
さらなる可能な実施形態において、当該関連情報は、当該複数のリソースプールにおける各リソースプールに対応する端末機器の情報を含む。
【００３２】
さらなる可能な実施形態において、当該方法は、ネットワーク機器により送信された、当該第１の端末機器に対応するリソースプールについての調整を指示するためのリソースプール調整情報を受信するステップと、当該リソースプール調整情報に基づき、当該第１の端末機器に対応するリソースプールを決定するステップとをさらに含む。
【００３３】
本発明に係る情報伝送方法において、リソースプール割当情報およびにリソースプール調整情報に基づき、対応するリソースプールを決定し、且つ当該リソースプールのリソースを選択してデータの伝送を行うことにより、コンテンションベースのデータ伝送を行う時に衝突が生じる確率を低減して、アクセス成功率を向上させることができる。
【００３４】
本発明の第３の態様として、本発明の第１の態様、または第１の態様に係る任意の可能な実施形態による方法を実行するためのモジュールを含むネットワーク機器を提供する。
【００３５】
本発明の第４の態様として、本発明の第２の態様、または第２の態様に係る任意の可能な実施形態による方法を実行するためのモジュールを含む端末機器を提供する。
【００３６】
本発明の第５の態様として、プロセッサと、メモリと、通信インタフェースとを含むネットワーク機器を提供する。当該プロセッサは、メモリおよび通信インタフェースに接続される。当該メモリは指令を記憶し、当該プロセッサは当該指令を実行し、当該通信インタフェースにより、プロセッサの制御下においてその他のネットワーク要素と通信する。当該プロセッサは当該メモリに記憶される指令を実行する時、本発明の第１の態様、または第１の態様に係る任意の可能な実施形態による方法を実行する。
【００３７】
本発明の第６の態様として、プロセッサと、メモリと、通信インタフェースとを含む端末機器を提供する。当該プロセッサはメモリおよび通信インタフェースに接続される。当該メモリは指令を記憶し、当該プロセッサは当該指令を実行し、当該通信インタフェースにより、プロセッサの制御下においてその他のネットワーク要素と通信する。当該プロセッサは当該メモリに記憶される指令を実行する時、本発明の第２の態様、または第２の態様に係る任意の可能な実施形態による方法を実行する。
【００３８】
本発明の第７の態様として、本発明の第１の態様、または第１の態様に係る任意の可能な実施形態による方法を実行するための指令を含むコンピュータプログラムを記憶するためのコンピュータ読み取り可能な媒体を提供する。
【００３９】
本発明の第８の態様として、本発明の第２の態様、または第２の態様に係る任意の可能な実施形態による方法を実行するための指令を含むコンピュータプログラムを記憶するためのコンピュータ読み取り可能な媒体を提供する。
【図面の簡単な説明】
【００４０】
本願の実施例に係る発明を明瞭に説明するために、以下、実施例または従来技術の説明に用いられる図面を簡単に説明する。当然ながら、以下説明に係る図は、本発明の一部の実施例に過ぎず、当業者は創造的な作業を行うことなく、これらの図からその他の図を得ることもできる。
【００４１】
【図１】本発明の実施例が適用される通信システムを概略的に示す図である。
【図２】本発明の一実施例による情報伝送方法のプロセスを概略的に示す図である。
【図３】本発明のもう一つの実施例による情報伝送方法のプロセスを概略的に示す図である。
【図４】本発明の一実施例によるネットワーク機器を概略的に示すブロック図である。
【図５】本発明の一実施例による端末機器を概略的に示すブロック図である。
【図６】本発明のもう一つの実施例によるネットワーク機器を概略的に示すブロック図である。
【図７】本発明のもう一つの実施例による端末機器を概略的に示すブロック図である。
【発明を実施するための形態】
【００４２】
本発明の実施例における図を参照しながら、各実施例による発明を明瞭かつ完全に説明する。当然ながら、説明される実施例は、本発明の全ての実施例ではなく、その一部に過ぎない。当業者がこれらの実施例に基づき、創造的な作業を行うことなく得られるその他の全ての実施例は、いずれも本発明の保護範囲に含まれる。
【００４３】
図１は、本発明の実施例が適用される通信システムを概略的に示す図である。図１に示すように、ネットワーク１００は、ネットワーク機器１０２と、端末機器１０４、１０６、１０８、１１０、１１２、１１４とを含んでもよく、ネットワーク機器と端末機器は無線方式で接続される。図１は、１つのネットワーク機器を含むネットワークで説明しているが、本発明の実施例はこれに限定されず、当該ネットワークは１つ以上のネットワーク機器を含んでもよい。同様のように、ネットワークはより多い端末機器を含んでもよく、且つネットワーク機器はその他の機器を含んでもよい。
【００４４】
本発明では、端末機器に基づいて各実施例を説明する。当該端末機器は、ユーザ機器（Ｕｓｅｒ  Ｅｑｕｉｐｍｅｎｔ、略称ＵＥ）、アクセス端末、加入者ユニット、加入者局、移動局、遠隔局、遠隔端末、移動機器、ユーザ端末、端末、無線通信機器、ユーザ代理機器、またはユーザ装置であってもよい。そのうちアクセス端末は、セルラーホン、コードレス電話、セッション開始プロトコル（Ｓｅｓｓｉｏｎ  Ｉｎｉｔｉａｔｉｏｎ  Ｐｒｏｔｏｃｏｌ、略称ＳＩＰ）電話、無線ローカルループ（Ｗｉｒｅｌｅｓｓ  Ｌｏｃａｌ  Ｌｏｏｐ、略称ＷＬＬ）局、携帯情報端末（Ｐｅｒｓｏｎａｌ  Ｄｉｇｉｔａｌ  Ａｓｓｉｓｔａｎｔ、略称ＰＤＡ）、無線通信機能を備えるハンドヘルド機器、コンピューティング機器、無線モデムに接続されたその他の処理機器、車載機器、ウェアラブル端末、５Ｇネットワークで動作する端末機器または進化型地上波公共移動通信ネットワーク（Ｐｕｂｌｉｃ  Ｌａｎｄ  Ｍｏｂｉｌｅ  Ｎｅｔｗｏｒｋ、略称ＰＬＭＮ）で動作する端末機器等であってもよく、本発明は特に限定しない。
【００４５】
本発明では、ネットワーク機器に基づいて各実施例を説明する。当該ネットワーク機器は、ＧＳＭもしくはＣＤＭＡシステムで動作する基地局（Ｂａｓｅ  Ｔｒａｎｓｃｅｉｖｅｒ  Ｓｔａｔｉｏｎ、略称ＢＴＳ）、ＷＣＤＭＡシステムで動作する基地局（ＮｏｄｅＢ、略称ＮＢ）、ＬＴＥシステムで動作する進化型基地局（Ｅｖｏｌｕｔｉｏｎａｌ  ＮｏｄｅＢ、略称ｅＮＢあるいはｅＮｏｄｅＢ）、またはクラウド無線アクセスネットワーク（Ｃｌｏｕｄ  Ｒａｄｉｏ  Ａｃｃｅｓｓ  Ｎｅｔｗｏｒｋ、略称ＣＲＡＮ）環境で動作する無線コントローラであってもよく、中継局、アクセスポイント、車載機器、ウェアラブル端末および５Ｇネットワーク対応のネットワーク機器またはＰＬＭＮネットワークで動作するネットワーク機器など端末機器と通信するための機器であってもよい。
【００４６】
本発明の実施例において、用語「リソース」は、データを伝送するために使用されるリソースを意味し、周波数領域、時間領域、コード領域、シーケンスなどのリソースを含んでもよく、本発明では特に限定しない。
【００４７】
本発明の実施例において、コンテンションベースによりアクセスされたリソースを複数のリソースプールに区分する。様々な情報に基づいてリソースプールを区分することができ、本発明では特に限定しない。以下、各実施例について詳しく説明する。
【００４８】
図２は、本実施例による情報伝送方法２００のプロセスを概略的に示す図である。方法２００は、図１に示すネットワーク機器１０２などのネットワーク機器により実行される。図２に示すように、方法２００は、ステップＳ２１０と、ステップＳ２２０とを含み、
ステップＳ２１０において、コンテンションベースによりアクセスされたリソースの複数のリソースプールにおける各リソースプールのリソース情報および関連情報を含むリソースプール割当情報を決定し、
ステップＳ２２０において、当該リソースプール割当情報を送信する。
【００４９】
本実施例では、ネットワーク機器が、コンテンションベースによりアクセスされたリソースを複数のリソースプールに区分し、リソースプール割当情報を端末機器に送信することにより、端末機器は当該リソースプール割当情報に基づき対応するリソースプールを決定し、さらにリソースを選択してデータの伝送を行うことができる。コンテンションベースによりアクセスされたリソースが複数のリソースプールに区分されることにより、異なるリソースプールに対応する端末機器が同一のリソースを選択することはないため、衝突が生じる確率を低減することができる。
【００５０】
したがって、本実施例に係る情報伝送方法は、リソースプール割当情報により、異なる端末機器が異なるリソースプールのリソースを選択できるため、コンテンションベースのデータ伝送を行う時に衝突が生じる確率を低減することができる。
【００５１】
本実施例では、任意選択的に、ネットワーク機器がブロードキャストまたは上位レイヤのシグナリングにより、リソースプール割当情報を送信する。
【００５２】
なお、ネットワーク機器はその他のシグナリングにより、当該リソースプール割当情報を送信してもよく、本発明では特に限定しない。
【００５３】
本実施例では、様々な方式でリソースプールを割り当てることができ、これに対応して、当該リソースプール割当情報も様々な形式を有する。
【００５４】
任意選択的に、本発明の一実施例において、ネットワーク機器はサービス品質（Ｑｕａｌｉｔｙ  ｏｆ  Ｓｅｒｖｉｃｅ、ＱｏＳ）レベルに基づき、当該リソースプール割当情報を決定し、
この場合に、当該関連情報は、当該複数のリソースプールにおける各リソースプールに対応するＱｏＳレベルの情報を含む。
【００５５】
より詳しくは、本実施例において、ネットワーク機器はＱｏＳレベルに基づきリソースプールを割り当てる。例えば、当該サービスに３段階のＱｏＳレベルがある場合、ネットワーク機器は少なくとも３つのリソースプールを割り当て、且つ同一ＱｏＳのアクセスサービスを同一のリソースプールに配置する。任意選択的に、ＱｏＳレベルが高い方が、対応するリソースプールに割り当てられる端末の数はより少なく、すなわちリソースプールのリソースはより多い。ネットワーク機器は、各リソースプールのリソース情報および各リソースプールに対応するＱｏＳレベルの情報を端末機器に送信する。端末機器はそのサービスのＱｏＳレベルに基づき、対応するリソースプールを決定して、リソースを選択してアクセスすることができる。
【００５６】
任意選択的に、各端末機器は、異なるＱｏＳレベルのサービスをサポートし、同一の端末機器は、サービスによって、異なるリソースプールを使用して上りリンクアクセスを行う。
【００５７】
任意選択的に、ネットワーク機器は、リソースプールの使用状況に基づき、リソースプールについて調整し、且つ当該調整を端末機器に報知する。
【００５８】
任意選択的に、本発明の一実施例において、ネットワーク機器は、当該複数のリソースプールにおける第１のリソースプールのリソースが不足する場合に、当該複数のリソースプールにおける第２のリソースプールのリソースの一部を、ＱｏＳレベルが当該第２のリソースプールに対応するＱｏＳレベルより高い当該第１のリソースプールに調整し、
且つ、当該第１のリソースプールおよび当該第２のリソースプールについての調整を指示するための第１のリソースプール調整情報を送信する。
【００５９】
より詳しくは、高いＱｏＳレベルに対応するリソースプールが不足する場合に（アクセス成功率に基づき判定してもよい）、低いＱｏＳレベルに対応するリソースプール（低い順としてもよい）から一部のリソースを割り当ててもよい。次に、ネットワーク機器がリソースプール調整情報を送信して、上記リソースプールの調整を端末機器に報知する。
【００６０】
任意選択的に、ブロードキャストまたは上位レイヤのシグナリングにより、リソースプール調整情報（下記各実施例におけるリソースプール調整情報を含む）を送信し、またはその他のシグナリングにより送信してもよく、本発明では特に限定しない。
【００６１】
任意選択的に、本発明の一実施例において、ネットワーク機器はアプリケーションの優先度に基づき、当該リソースプール割当情報を決定し、
この場合に、当該関連情報は、当該複数のリソースプールにおける各リソースプールに対応するアプリケーションの優先度の情報を含む。
【００６２】
より詳しくは、本実施例において、ネットワーク機器はアプリケーションの優先度に基づき、リソースプールを割り当てる。任意選択的に、アプリケーションの優先度は、遅延、トラフィック、特定種類の情報、または特定のユーザ端末機器などの要件に基づき決定してもよい。任意選択的に、ネットワーク機器がアプリケーションの優先度を決定した後、アプリケーションの優先度の高い順に（優先度が高い方がより重要である）リソースプールを割り当て、各リソースプールのサイズを決定する。例えば、アプリケーションの優先度が高い方は対応するリソースプールのリソースがより多い。ネットワーク機器は、各リソースプールのリソース情報および各リソースプールに対応するアプリケーションの優先度情報を端末機器に送信する。端末機器はそのアプリケーションの優先度に基づき、対応するリソースプールを決定し、リソースを選択してアクセスする。
【００６３】
任意選択的に、本発明の一実施例において、ネットワーク機器は、当該複数のリソースプールにおける第３のリソースプールのリソースが不足する場合に、当該複数のリソースプールにおける第４のリソースプールのリソースの一部を、アプリケーションの優先度が当該第４のリソースプールに対応するアプリケーションの優先度より高い当該第３のリソースプールに調整し、
且つ、当該第３のリソースプールおよび当該第４のリソースプールについての調整を指示するための第２のリソースプール調整情報を送信する。
【００６４】
より詳しくは、高いアプリケーションの優先度に対応するリソースプールが不足する場合に（アクセス成功率に基づき判定してもよい）、低いアプリケーションの優先度に対応するリソースプール（低い順としてもよい）から一部のリソースを割り当ててもよい。次に、ネットワーク機器がリソースプール調整情報を送信して、上記リソースプールの調整を端末機器に報知する。
【００６５】
任意選択的に、本発明の一実施例において、当該関連情報は、当該複数のリソースプールにおける各リソースプールに対応する端末機器の情報を含む。
【００６６】
すなわち、本実施例では、リソースプール割当情報が、各リソースプールのリソース情報および各リソースプールに対応する端末機器の情報を含んでもよい。
【００６７】
端末機器の情報は、当該端末機器の標識であってもよく、本発明では特に限定しない。
【００６８】
任意選択的に、端末機器がどのリソースプールに対応するかは、様々な方法により決定することができ、本発明では特に限定しない。例えば、端末機器の優先度、位置情報または信号強度などの要件に基づき決定してもよい。
【００６９】
任意選択的に、本発明の一実施例において、ネットワーク機器は、受信信号強度に基づき、当該リソースプール割当情報を決定し、同一のリソースプールに対応する端末機器に対応する受信信号強度の差は所定範囲にある。
【００７０】
より詳しくは、ネットワーク機器が、端末機器により送信された信号を受信する受信信号強度に基づきリソースプールを割り当て、受信信号強度が近い端末機器を一つのリソースプールに区分することにより、信号強度の弱い端末機器は信号強度の強い端末機器によって遮蔽されることを避ける。任意選択的に、端末機器は、ネットワーク機器により受信されたアクセス信号が近い信号強度を有するように、下りリンクの損失に基づきアクセス信号の送信電力を大略的に制御する。
【００７１】
任意選択的に、本発明の一実施例において、ネットワーク機器は、当該複数のリソースプールにおける第５のリソースプールに対応する検出率に基づき、当該第５のリソースプールに対応する端末機器の数を調整するか、または当該第５のリソースプールのリソースを調整し、
且つ、当該第５のリソースプールについての調整を指示するための第３のリソースプール調整情報を送信する。
【００７２】
より詳しくは、ネットワーク機器がリソースプールを動的に調整する。リソースプールについての調整は、リソースプールの端末機器の数についての調整でも、リソースプールのリソースについての調整であってもよい。例えば、リソースプールに対応する検出率および／またはリソースプールに対応する受信信号強度に基づき、リソースプールの端末機器の数またはリソースプールについて調整する。
【００７３】
任意選択的に、本発明の一実施例として、当該第５のリソースプールに対応する検出率が第１の所定値より低い場合に、当該第５のリソースプールに対応する端末機器の数を低減するか、もしくは当該第５のリソースプールのリソースを増加し、または当該第５のリソースプールに対応する検出率が第２の所定値より高い場合に、当該第５のリソースプールに対応する端末機器の数を増加するか、もしくは当該第５のリソースプールのリソースを低減する。
【００７４】
すなわち、あるリソースプールに対応する検出率が低い（または対応する受信信号強度が高く、対応する検出率が低い）場合に、当該リソースプールに対応する端末機器の数を低減するか、もしくは当該リソースプールのリソースを増加し、またはあるリソースプールに対応する検出率が高い場合に、当該リソースプールに対応する端末機器の数を増加するか、もしくは当該リソースプールのリソースを低減する。
【００７５】
任意選択的に、本発明の一実施例において、ネットワーク機器は、第１の端末機器が受けた干渉の状況に基づき、当該第１の端末機器に対応するリソースプールを調整し、
且つ、当該第１の端末機器に対応するリソースプールについての調整を指示するための第４のリソースプール調整情報を送信する。
【００７６】
より詳しくは、ネットワーク機器が、端末機器の受けた干渉の状況に基づき、端末機器に対応するリソースプールを調整する。
【００７７】
任意選択的に、当該第１の端末機器の受けた干渉が第３の所定値より大きい場合に、当該第１の端末機器に対応するリソースプールを変更するか、または当該第１の端末機器に対応するリソースプールのリソースを増加する。
【００７８】
すなわち、ネットワーク機器は、端末機器の受けた干渉の状況に基づき、大きな干渉を受けた端末機器を特定し、当該端末機器をその他のリソースプールに割り当てることができる。
【００７９】
任意選択的に、ネットワーク機器は、当該第１の端末機器により送信された、当該第１の端末機器が受けた干渉の状況を受信する。
【００８０】
任意選択的に、本発明の一実施例において、ネットワーク機器は、第２の端末機器のデータトラフィックに基づき、当該第２の端末機器に対応するリソースプールを調整し、
且つ、当該第２の端末機器に対応するリソースプールについての調整を指示するための第５のリソースプール調整情報を送信する。
【００８１】
より詳しくは、ネットワーク機器が、端末機器のデータトラフィックに基づきリソースプールを割り当て、リソースプールを調整することができる。
【００８２】
任意選択的に、当該第２の端末機器のデータトラフィックが第４の所定値より大きい場合に、当該第２の端末機器に対応するリソースプールを、対応する端末機器の数がより少ないリソースプールに変更するか、もしくは当該第２の端末機器に対応するリソースプールのリソースを増加し、または当該第２の端末機器のデータトラフィックが第５の所定値より小さい場合に、当該第２の端末機器に対応するリソースプールを、対応する端末機器の数がより多いリソースプールに変更するか、もしくは当該第２の端末機器に対応するリソースプールのリソースを低減する。
【００８３】
すなわち、データトラフィックの大きい端末機器に対して、より多いリソースを割り当てる。例えば、当該端末機器に端末機器の数がより少ないリソースプールを割り当てるか、または当該端末機器に対応するリソースを増加する。逆の場合に、データトラフィックの小さい端末機器に対して、より少ないリソースを割り当てる。例えば、当該端末機器に端末機器の数がより多いリソースプールに割り当てるか、または当該端末機器に対応するリソースを低減する。
【００８４】
任意選択的に、本発明の一実施例において、ネットワーク機器は、第３の端末機器のアクセス試行回数に基づき、当該第３の端末機器に対応するリソースプールを調整し、
且つ、当該第３の端末機器に対応するリソースプールについての調整を指示するための第６のリソースプール調整情報を送信する。
【００８５】
より詳しくは、ネットワーク機器が、端末機器のアクセス試行回数に基づきリソースプールを割り当て、リソースプールを調整することができる。
【００８６】
任意選択的に、当該第３の端末機器のアクセス試行回数が第６の所定値より大きい場合に、当該第３の端末機器に対応するリソースプールを、対応する端末機器の数がより少ないリソースプールに変更するか、もしくは当該第３の端末機器に対応するリソースプールのリソースを増加し、または当該第３の端末機器のデータトラフィックが第７の所定値より小さい場合に、当該第３の端末機器に対応するリソースプールを、対応する端末機器の数がより多いリソースプールに変更するか、もしくは当該第３の端末機器に対応するリソースプールのリソースを低減する。
【００８７】
すなわち、アクセス試行回数の多い端末機器に対して、より多いリソースを割り当てる。例えば、当該端末機器に端末機器の数がより少ないリソースプールを割り当てるか、または当該端末機器に対応するリソースを増加する。逆の場合に、アクセス試行回数の少ない端末機器に対して、より少ないリソースを割り当てる。例えば、当該端末機器に端末機器の数がより多いリソースプールを割り当てるか、または当該端末機器に対応するリソースを低減する。
【００８８】
任意選択的に、ネットワーク機器は、当該第３の端末機器により送信された当該第３の端末機器のアクセス試行回数を受信する。
【００８９】
例えば、端末機器は、アクセス試行回数をアップロード信号に付随させて、ネットワーク機器にアップロードする。
【００９０】
任意選択的に、ネットワーク機器は、複数のリソースプールを一つの端末機器に割り当て、端末機器が一つのリソースプールへアクセスを試行して複数回失敗した場合に、別のリソースプールに切り替えて試行を継続する。
【００９１】
本実施例に係る情報伝送方法は、リソースプールを割り当て、リソースプールを動的に調整することにより、コンテンションベースのデータ伝送を行う時に衝突が生じる確率を低減して、アクセス成功率を向上させることができる。
【００９２】
上述した内容は、ネットワーク機器に基づいて本発明の実施例に係る情報伝送方法について説明している。以下、端末機器に基づいて当該情報伝送方法について説明する。
【００９３】
図３は、本実施例による情報伝送方法３００のプロセスを概略的に示す図である。方法３００は、図１に示す端末機器などの端末機器（以下、第１の端末機器とする）により実行される。図３に示すように、方法３００は、ステップＳ３１０と、ステップＳ３２０と、ステップＳ３３０とを含み、
ステップＳ３１０において、ネットワーク機器により送信された、コンテンションベースによりアクセスされたリソースの複数のリソースプールにおける各リソースプールのリソース情報および関連情報を含むリソースプール割当情報を受信し、
ステップＳ３２０において、当該リソースプール割当情報に基づき、第１の端末機器に対応するリソースプールを決定し、
ステップＳ３３０において、当該第１の端末機器に対応するリソースプールにおけるリソースによりデータの伝送を行う。
【００９４】
本実施例では、ネットワーク機器がコンテンションベースによりアクセスされたリソースを複数のリソースプールに区分し、リソースプール割当情報を端末機器に送信し、端末機器が当該リソースプール割当情報に基づき対応するリソースプールを決定し、さらにリソースを選択してデータの伝送を行う。コンテンションベースによりアクセスされたリソースが複数のリソースプールに区分されることにより、異なるリソースプールに対応する端末機器が同一のリソースを選択することはないため、衝突が生じる確率を低減することができる。
【００９５】
したがって、本実施例に係る情報伝送方法は、リソースプール割当情報に基づき対応するリソースプールを決定し、且つ当該リソースプールのリソースを選択してデータの伝送を行うことにより、コンテンションベースのデータ伝送を行う時に衝突が生じる確率を低減することができる。
【００９６】
任意選択的に、本発明の一実施例において、当該関連情報は、当該複数のリソースプールにおける各リソースプールに対応するサービス品質（ＱｏＳ）レベルの情報を含み、
当該第１の端末機器は、リソースプール割当情報に基づき、当該第１の端末機器のＱｏＳレベルに対応するリソースプールを決定する。
【００９７】
任意選択的に、本発明の一実施例において、当該関連情報は、当該複数のリソースプールにおける各リソースプールに対応するアプリケーションの優先度の情報を含み、
当該第１の端末機器は、当該リソースプール割当情報に基づき、当該第１の端末機器のアプリケーションの優先度に対応するリソースプールを決定する。
【００９８】
任意選択的に、本発明の一実施例において、当該関連情報は、当該複数のリソースプールにおける各リソースプールに対応する端末機器の情報を含む。
【００９９】
任意選択的に、本発明の一実施例において、当該第１の端末機器は、ネットワーク機器により送信された、当該第１の端末機器に対応するリソースプールについての調整を指示するためのリソースプール調整情報を受信し、
当該リソースプール調整情報に基づき、当該第１の端末機器に対応するリソースプールを決定する。
【０１００】
本実施例に係る情報伝送方法は、リソースプール割当情報およびにリソースプール調整情報に基づき対応するリソースプールを決定し、且つ当該リソースプールのリソースを選択してデータの伝送を行うことにより、コンテンションベースのデータ伝送を行う時に衝突が生じる確率を低減して、アクセス成功率を向上させることができる。
【０１０１】
なお、本実施例では、ネットワーク機器側について説明されるネットワーク機器と端末機器の対話、関連する特徴や機能などは、端末機器側に関する説明と対応しているため、ここで重複する説明を省略する。
【０１０２】
本発明の様々な実施例において、上記各ステップにつけた番号は、実行される順序を限定するものではなく、各ステップの実行される順序はその機能および内部倫理により決まるため、本実施例を実施するプロセスに対して限定を加えるものではない。
【０１０３】
上述した内容は、本実施例に係る情報伝送方法について詳しく説明している。以下、本実施例に係るネットワーク機器および端末機器について説明する。本発明の実施例に係るネットワーク機器および端末機器は、上記実施例に係る各方法を実施することができ、すなわち、以下各種機器における具体的な動作のプロセスについては、上記方法に関する実施例の対応するプロセスを参照されてもよい。
【０１０４】
図４は、本実施例によるネットワーク機器４００を概略的に示すブロック図である。図４に示すように、ネットワーク機器４００は、処理モジュール４１０と、送受信モジュール４２０とを含み、
処理モジュール４１０は、コンテンションベースによりアクセスされたリソースの複数のリソースプールにおける各リソースプールのリソース情報および関連情報を含むリソースプール割当情報を決定し、
送受信モジュール４２０は、当該リソースプール割当情報を送信する。
【０１０５】
本実施例に係るネットワーク機器は、リソースプール割当情報により、異なる端末機器が異なるリソースプールのリソースを選択するため、コンテンションベースのデータ伝送を行う時に衝突が生じる確率を低減することができる。
【０１０６】
任意選択的に、本発明の一実施例において、より詳しくは、処理モジュール４１０が、サービス品質（ＱｏＳ）レベルに基づき、当該複数のリソースプールにおける各リソースプールに対応するＱｏＳレベルの情報を含む当該リソースプール割当情報を決定する。
【０１０７】
任意選択的に、本発明の一実施例において、さらに、処理モジュール４１０は当該複数のリソースプールにおける第１のリソースプールのリソースが不足する場合に、当該複数のリソースプールにおける第２のリソースプールのリソースの一部を、ＱｏＳレベルが当該第２のリソースプールに対応するＱｏＳレベルより高い当該第１のリソースプールに調整し、
送受信モジュール４２０は、当該第１のリソースプールおよび当該第２のリソースプールについての調整を指示するための第１のリソースプール調整情報を送信する。
【０１０８】
任意選択的に、本発明の一実施例において、より詳しくは、処理モジュール４１０が、アプリケーションの優先度に基づき、当該リソースプール割当情報を決定し、
当該関連情報は、当該複数のリソースプールにおける各リソースプールに対応するアプリケーションの優先度の情報を含む。
【０１０９】
任意選択的に、本発明の一実施例において、さらに、処理モジュール４１０は当該複数のリソースプールにおける第３のリソースプールのリソースが不足する場合に、当該複数のリソースプールにおける第４のリソースプールのリソースの一部を、アプリケーションの優先度が当該第４のリソースプールに対応するアプリケーションの優先度より高い当該第３のリソースプールに調整し、
送受信モジュール４２０は、当該第３のリソースプールおよび当該第４のリソースプールについての調整を指示するための第２のリソースプール調整情報を送信する。
【０１１０】
任意選択的に、本発明の一実施例において、当該関連情報は、当該複数のリソースプールにおける各リソースプールに対応する端末機器の情報を含む。
【０１１１】
任意選択的に、本発明の一実施例において、より詳しくは、処理モジュール４１０が、受信信号強度に基づき当該リソースプール割当情報を決定し、同一のリソースプールに対応する端末機器に対応する受信信号強度の差は所定範囲にある。
【０１１２】
任意選択的に、本発明の一実施例において、さらに、処理モジュール４１０は、当該複数のリソースプールにおける第５のリソースプールに対応する検出率に基づき、当該第５のリソースプールに対応する端末機器の数を調整するか、または当該第５のリソースプールのリソースを調整し、
送受信モジュール４２０は、当該第５のリソースプールについての調整を指示するための第３のリソースプール調整情報を送信する。
【０１１３】
任意選択的に、本発明の一実施例において、より詳しくは、処理モジュール４１０が、当該第５のリソースプールに対応する検出率が第１の所定値より低い場合に、当該第５のリソースプールに対応する端末機器の数を低減するか、もしくは当該第５のリソースプールのリソースを増加し、または当該第５のリソースプールに対応する検出率が第２の所定値より高い場合に、当該第５のリソースプールに対応する端末機器の数を増加するか、もしくは当該第５のリソースプールのリソースを低減する。
【０１１４】
任意選択的に、本発明の一実施例において、さらに、処理モジュール４１０は、第１の端末機器が受けた干渉の状況に基づき、当該第１の端末機器に対応するリソースプールを調整し、
送受信モジュール４２０は、当該第１の端末機器に対応するリソースプールについての調整を指示するための第４のリソースプール調整情報を送信する。
【０１１５】
任意選択的に、本発明の一実施例において、より詳しくは、処理モジュール４１０が、当該第１の端末機器の受けた干渉が第３の所定値より大きい場合に、当該第１の端末機器に対応するリソースプールを変更するか、または当該第１の端末機器に対応するリソースプールのリソースを増加する。
【０１１６】
任意選択的に、本発明の一実施例において、さらに、送受信モジュール４２０は、当該第１の端末機器により送信された当該第１の端末機器が受けた干渉の状況を受信する。
【０１１７】
任意選択的に、本発明の一実施例において、さらに、処理モジュール４１０は、第２の端末機器のデータトラフィックに基づき、当該第２の端末機器に対応するリソースプールを調整し、
送受信モジュール４２０は、当該第２の端末機器に対応するリソースプールについての調整を指示するための第５のリソースプール調整情報を送信する。
【０１１８】
任意選択的に、本発明の一実施例において、より詳しくは、処理モジュール４１０が、当該第２の端末機器のデータトラフィックが第４の所定値より大きい場合に、当該第２の端末機器に対応するリソースプールを、対応する端末機器の数がより少ないリソースプールに変更するか、もしくは当該第２の端末機器に対応するリソースプールのリソースを増加し、または当該第２の端末機器のデータトラフィックが第５の所定値より小さい場合に、当該第２の端末機器に対応するリソースプールを、対応する端末機器の数がより多いリソースプールに変更するか、もしくは第２の端末機器に対応するリソースプールのリソースを低減する。
【０１１９】
任意選択的に、本発明の一実施例において、さらに、処理モジュール４１０は、第３の端末機器のアクセス試行回数に基づき、当該第３の端末機器に対応するリソースプールを調整し、
送受信モジュール４２０は、当該第３の端末機器に対応するリソースプールについての調整を指示するための第６のリソースプール調整情報を送信する。
【０１２０】
任意選択的に、本発明の一実施例において、より詳しくは、処理モジュール４１０が、当該第３の端末機器のアクセス試行回数が第６の所定値より大きい場合に、当該第３の端末機器に対応するリソースプールを、対応する端末機器の数がより少ないリソースプールに変更するか、もしくは当該第３の端末機器に対応するリソースプールのリソースを増加し、または第３の端末機器のデータトラフィックが第７の所定値より小さい場合に、当該第３の端末機器に対応するリソースプールを、対応する端末機器の数がより多いリソースプールに変更するか、もしくは第３の端末機器に対応するリソースプールのリソースを低減する。
【０１２１】
任意選択的に、本発明の一実施例において、さらに、送受信モジュール４２０は、当該第３の端末機器により送信された当該第３の端末機器のアクセス試行回数を受信する。
【０１２２】
任意選択的に、本発明の一実施例において、詳しくは、送受信モジュール４２０が、ブロードキャストまたは上位レイヤのシグナリングにより、リソースプール割当情報を送信する。
【０１２３】
本発明の実施例に係るネットワーク機器は、リソースプールを割り当て、リソースプールを動的に調整することにより、コンテンションベースのデータ伝送を行う時に衝突が生じる確率を低減して、アクセス成功率を向上させることができる。
【０１２４】
本実施例によるネットワーク機器４００は、本発明の実施例に係る情報伝送方法におけるネットワーク機器に対応してもよく、且つネットワーク機器４００における各モジュールの上記動作とその他の動作、および／または機能は、上記各方法の対応するプロセスを実現するためのものであるため、ここで重複する説明を省略する。
【０１２５】
図５は、本実施例による端末機器５００を概略的に示すブロック図である。図５に示すように、端末機器５００は、送受信モジュール５１０と、処理モジュール５２０とを含み、
送受信モジュール５１０は、ネットワーク機器により送信された、コンテンションベースによりアクセスされたリソースの複数のリソースプールにおける各リソースプールのリソース情報および関連情報を含むリソースプール割当情報を受信し、
処理モジュール５２０は、当該リソースプール割当情報に基づき、当該端末機器に対応するリソースプールを決定し、当該端末機器に対応するリソースプールにおけるリソースによりデータの伝送を行う。
【０１２６】
本実施例に係るネットワーク機器は、リソースプール割当情報に基づき対応するリソースプールを決定し、且つ当該リソースプールのリソースを選択してデータの伝送を行うことにより、コンテンションベースのデータ伝送を行う時に衝突が生じる確率を低減することができる。
【０１２７】
任意選択的に、本発明の一実施例において、当該関連情報は、当該複数のリソースプールにおける各リソースプールに対応するサービス品質（ＱｏＳ）レベルの情報を含み、
処理モジュール５２０は、当該リソースプール割当情報に基づき、当該端末機器のＱｏＳレベルに対応するリソースプールを決定する。
【０１２８】
任意選択的に、本発明の一実施例において、当該関連情報は、当該複数のリソースプールにおける各リソースプールに対応するアプリケーションの優先度の情報を含み、
より詳しくは、処理モジュール５２０が、当該リソースプール割当情報に基づき、当該端末機器のアプリケーションの優先度に対応するリソースプールを決定する。
【０１２９】
任意選択的に、本発明の一実施例において、当該関連情報は、当該複数のリソースプールにおける各リソースプールに対応する端末機器の情報を含む。
【０１３０】
任意選択的に、本発明の一実施例において、さらに、送受信モジュール５１０は、ネットワーク機器により送信された、当該端末機器に対応するリソースプールについての調整を指示するためのリソースプール調整情報を受信し、
処理モジュール５２０は、当該リソースプール調整情報に基づき、当該端末機器に対応するリソースプールを決定する。
【０１３１】
本実施例に係る端末機器は、リソースプール割当情報およびにリソースプール調整情報に基づき対応するリソースプールを決定し、且つ当該リソースプールのリソースを選択してデータの伝送を行うことにより、コンテンションベースのデータ伝送を行う時に衝突が生じる確率を低減して、アクセス成功率を向上させることができる。
【０１３２】
本実施例による端末機器５００は、本発明の実施例に係る情報伝送方法における端末機器に対応してもよく、且つ端末機器５００における各モジュールの上記動作とその他の動作、および／または機能は、上記各方法の対応するプロセスを実現するためのものであるため、ここで重複する説明を省略する。
【０１３３】
図６は、本発明のもう一つの実施例によるネットワーク機器の構造を概略的に示す図である。当該ネットワーク機器は、少なくとも１つのプロセッサ６０２（例えば、ＣＰＵ）と、少なくとも１つのネットワークインタフェース６０５またはその他の通信インタフェースと、メモリ６０６と、これらの構成要素間の接続および通信を実現するための少なくとも１つの通信バス６０３とを含む。プロセッサ６０２は、メモリ６０６に記憶されるコンピュータプログラムなど実行可能モジュールを実行する。メモリ６０６は、高速ランダムアクセスメモリ（Ｒａｎｄｏｍ  Ａｃｃｅｓｓ  Ｍｅｍｏｒｙ、ＲＡＭ）を含み、または不揮発性メモリ（ｎｏｎ−ｖｏｌａｔｉｌｅ  ｍｅｍｏｒｙ）、例えば、少なくとも１つの磁気ディスクを含んでもよい。少なくとも１つの（有線または無線形式の）ネットワークインタフェース６０５によって、少なくとも１つのその他のネットワーク要素との通信接続を実現する。
【０１３４】
さらなる可能な実施形態において、メモリ６０６には、本発明の上記様々な実施例による方法を実行するためのプログラム６０６１が記憶される。
【０１３５】
図７は、本発明のもう一つの実施例によるＭＭＥの構造を概略的に示す図である。少なくとも１つのプロセッサ７０２（例えば、ＣＰＵ）と、少なくとも１つのネットワークインタフェース７０５またはその他の通信インタフェースと、メモリ７０６と、これらの構成要素間の接続および通信を実現するための少なくとも１つの通信バス７０３とを含む。プロセッサ７０２は、メモリ７０６に記憶されるコンピュータプログラムなど実行可能モジュールを実行する。メモリ７０６は、高速ランダムアクセスメモリ（Ｒａｎｄｏｍ  Ａｃｃｅｓｓ  Ｍｅｍｏｒｙ、ＲＡＭ）を含み、または不揮発性メモリ（ｎｏｎ−ｖｏｌａｔｉｌｅ  ｍｅｍｏｒｙ）、例えば、少なくとも１つの磁気ディスクを含んでもよい。少なくとも１つの（有線または無線形式の）ネットワークインタフェース７０５によって、少なくとも１つのその他のネットワーク要素との通信接続を実現する。
【０１３６】
さらなる可能な実施形態において、メモリ７０６には、本発明の上記様々な実施例による方法を実行するためのプログラム７０６１が記憶される。
【０１３７】
なお、本発明の実施例として挙げられる具体例は、当業者が本発明の実施例を理解しやすくするためのものに過ぎず、当該実施例の範囲に限定を加えるものではない。
【０１３８】
本明細書で使用される「および／または」という用語は、関連する対象の相関関係を説明するためのものであり、３種類の関係が存在することを意味する。例えば、Ａおよび／またはＢは、Ａが単独で存在する場合、ＡおよびＢが同時に存在する場合、Ｂが単独で存在する場合を表すことができる。本明細書で使用される記号「／」は一般的に、それによって繋がる対象が「または」という関係にあることを表す。
【０１３９】
当業者にとって自明なように、本明細書に開示されている実施例に記載の各例示的なユニットやアルゴリズムおよびステップは、電子ハードウェア、コンピュータソフトウェアまたは両者の組み合わせにより実施することができる。ハードウェアとソフトウェアの互換性を明瞭に説明するために、上述した説明において機能に従って各例の構成およびステップについて一般的な説明を行っている。これらの機能をハードウェアとして実行するかソフトウェアとして実行するかは、該当発明の特定の用途および設計上の制限条件により決まる。当業者は特定の用途ごとに異なる方法を用いて該当機能を実施することができるが、このような実施は、本発明の範囲を逸脱するものではない。
【０１４０】
当業者にとって自明なように、本明細書に記載のシステム、機器およびユニットの具体的な動作プロセスについては、上記方法に関する実施例の対応するプロセスを参照されてもよいため、詳細な説明が省略される。
【０１４１】
本発明のいくつかの実施例に係るシステム、機器および方法は、その他の形態により実施することもできる。例えば、本明細書に記載の装置に関する実施例は、例示的なものに過ぎない。上述したとおり各ユニットを設定しているのは、論理機能上の分割に過ぎず、別の形態として分割して実施することもでき、例えば、複数のユニットまたは部品を別のシステムに組み合わせもしくは集積させたり、または一部の特徴を反映させず、実行しなかったりしてもよい。説明される直接的な接続または通信接続など部品間の接続は、いくつかのインタフェース、装置またはユニットを用いる間接的接続または通信接続とすることができ、電気的形態、機械的形態またはその他の形態であってもよい。
【０１４２】
分離される部品として説明される上記ユニットは、物理的に分離しても、分離しなくてもよい。ユニットとして示される部品は、物理的なユニットでも、物理的なユニットでなくてもよい。すなわち、同一の場所に設けられても、複数のネットワークユニットに配置されてもよい。必要に応じて、一部のユニットだけを用いるか、または全てのユニットを使用して当該発明の目的を達成することができる。
【０１４３】
また、本発明の実施例において、各機能ユニットが１つの処理ユニットに集積されてもよいが、各ユニットが物理的な部品として単独で存在するか、または２つ以上のユニットが１つのユニットに集積されてもよい。このうち集積されたユニットは、ハードウェアの形でも、ソフトウェアによる機能ユニットの形でも実施することができる。
【０１４４】
前記集積されたユニットは、ソフトウェアによる機能ユニットの形で実施され、且つ独立する製品として販売または使用する場合に、コンピュータ読み取り可能な記憶媒体に記憶されてもよい。これにより、本願に係る発明の趣旨、すなわち従来技術に対して貢献する発明または当該発明の全てもしくはその一部は、ソフトウェア製品の形で表現されてもよい。当該コンピュータソフトウェア製品は、記憶媒体に記憶され、且つパソコン、サーバ、またはネットワーク機器等のコンピュータデバイスに本発明の各実施例による方法の全てのステップまたはその一部を実行させるためのいくつかの指令を含む。前記記憶媒体は、ＵＳＢフラッシュドライブ、モバイルハードディスク、読み出し専用メモリ（Ｒｅａｄ−Ｏｎｌｙ  Ｍｅｍｏｒｙ、略称ＲＯＭ）、ランダムアクセスメモリ（Ｒａｎｄｏｍ  Ａｃｃｅｓｓ  Ｍｅｍｏｒｙ、略称ＲＡＭ）、磁気ディスクまたはコンパクトディスクなどプロクラムコードを記憶可能な様々な媒体を含む。
【０１４５】
本明細書に記載される内容は、本発明の具体的な実施形態に過ぎず、本発明の保護範囲はこれだけに限定されない。当業者が本発明に開示されている技術範囲において容易に想到し得る変更や置換などは、いずれも本発明の保護範囲に含まれる。したがって、本発明の保護範囲は、特許請求の範囲に記載される内容に準拠する。
【図１】
2019534585.tif 000003
【図２】
2019534585.tif 000004
【図３】
2019534585.tif 000005
【図４】
2019534585.tif 000006
【図５】
2019534585.tif 000007
【図６】
2019534585.tif 000008
【図７】
2019534585.tif 000009
【手続補正書】
【提出日】平成31年4月2日(2019.4.2)
【手続補正１】
【補正対象書類名】明細書
【補正対象項目名】全文
【補正方法】変更
【補正の内容】
【発明の詳細な説明】
【技術分野】
【０００１】
本発明は、通信の分野に関し、より詳しくは、情報伝送方法、ネットワーク機器および端末機器に関する。
【背景技術】
【０００２】
従来、端末機器が移動通信システムにアクセスする時に、ランダムにアクセスする必要があるため、これに伴い一定の遅延が生じてしまう。
【０００３】
端末機器がサイズの小さいデータパケットを伝送する場合、コンテンションベース（ｃｏｎｔｅｎｔｉｏｎ−ｂａｓｅｄ）の方式を用いるのが合理的であり、すなわちネットワーク機器がディスパッチを行うことなく、端末機器は自律的に無線リソースを選択して、ネットワーク機器にサイズの小さいデータパケットを伝送するという方式である。
【０００４】
しかしながら、上記プロセスにおいて、異なる端末機器の間には、上りリンクデータを送信するのに同一のリソースを選択するため衝突が生じる可能性があり、さらにはアクセス性能が影響されることもある。
【発明の概要】
【発明が解決しようとする課題】
【０００５】
本発明は、情報伝送方法、ネットワーク機器および端末機器を提供し、コンテンションベースのデータ伝送を行う時に衝突が生じる確率を低減することができる。
【課題を解決するための手段】
【０００６】
本発明の第１の態様における実施例として、情報伝送方法を提供する。当該方法は、コンテンションベースによりアクセスされたリソースの複数のリソースプールにおける各リソースプールのリソース情報および関連情報を含むリソースプール割当情報を決定するステップと、当該リソースプール割当情報を送信するステップとを含む。
【０００７】
本発明に係る情報伝送方法において、リソースプール割当情報により、異なる端末機器が異なるリソースプールのリソースを選択できるため、コンテンションベースのデータ伝送を行う時に衝突が生じる確率を低減することができる。
【０００８】
さらなる可能な実施形態において、リソースプール割当情報を決定する前記ステップは、サービス品質（ＱｏＳ）レベルに基づき、当該リソースプール割当情報を決定することを含み、
当該関連情報は、当該複数のリソースプールにおける各リソースプールに対応するＱｏＳレベルの情報を含む。
【０００９】
さらなる可能な実施形態において、当該方法は、当該複数のリソースプールにおける第１のリソースプールのリソースが不足する場合に、当該複数のリソースプールにおける第２のリソースプールのリソースの一部を、ＱｏＳレベルが当該第２のリソースプールに対応するＱｏＳレベルより高い当該第１のリソースプールに調整するステップと、当該第１のリソースプールおよび当該第２のリソースプールについての調整に関する指示情報を含む第１のリソースプール調整情報を送信するステップとをさらに含む。
【００１０】
さらなる可能な実施形態において、リソースプール割当情報を決定する前記ステップは、アプリケーションの優先度に基づき当該リソースプール割当情報を決定することを含み、
当該関連情報は、当該複数のリソースプールにおける各リソースプールに対応するアプリケーションの優先度の情報を含む。
【００１１】
さらなる可能な実施形態において、当該方法は、当該複数のリソースプールにおける第３のリソースプールのリソースが不足する場合に、当該複数のリソースプールにおける第４のリソースプールのリソースの一部を、アプリケーションの優先度が当該第４のリソースプールに対応するアプリケーションの優先度より高い当該第３のリソースプールに調整するステップと、当該第３のリソースプールおよび当該第４のリソースプールについての調整に関する指示情報を含む第２のリソースプール調整情報を送信するステップとをさらに含む。
【００１２】
さらなる可能な実施形態において、当該関連情報は、当該複数のリソースプールにおける各リソースプールに対応する端末機器の情報を含む。
【００１３】
さらなる可能な実施形態において、リソースプール割当情報を決定する前記ステップは、受信信号強度に基づき、当該リソースプール割当情報を決定し、同一のリソースプールに対応する端末機器に対応する受信信号強度の差は所定範囲にある。
【００１４】
さらなる可能な実施形態において、当該方法は、当該複数のリソースプールにおける第５のリソースプールに対応する検出率に基づき、当該第５のリソースプールに対応する端末機器の数を調整するか、または当該第５のリソースプールのリソースを調整するステップと、当該第５のリソースプールについての調整に関する指示情報を含む第３のリソースプール調整情報を送信するステップとをさらに含む。
【００１５】
さらなる可能な実施形態において、当該複数のリソースプールにおける第５のリソースプールに対応する検出率に基づき、当該第５のリソースプールに対応する端末機器の数を調整するか、または当該第５のリソースプールのリソースを調整する前記ステップは、当該第５のリソースプールに対応する検出率が第１の所定値より低い場合に、当該第５のリソースプールに対応する端末機器の数を低減するか、もしくは当該第５のリソースプールのリソースを増加し、または当該第５のリソースプールに対応する検出率が第２の所定値より高い場合に、当該第５のリソースプールに対応する端末機器の数を増加するか、もしくは当該第５のリソースプールのリソースを低減することを含む。
【００１６】
さらなる可能な実施形態において、当該方法は、第１の端末機器が受けた干渉の状況に基づき、当該第１の端末機器に対応するリソースプールを調整するステップと、当該第１の端末機器に対応するリソースプールについての調整に関する指示情報を含む第４のリソースプール調整情報を送信するステップとをさらに含む。
【００１７】
さらなる可能な実施形態において、第１の端末機器が受けた干渉の状況に基づき、当該第１の端末機器に対応するリソースプールを調整する前記ステップは、当該第１の端末機器の受けた干渉が第３の所定値より大きい場合に、当該第１の端末機器に対応するリソースプールを変更するか、または当該第１の端末機器に対応するリソースプールのリソースを増加することを含む。
【００１８】
さらなる可能な実施形態において、当該方法は、第１の端末機器により送信された当該第１の端末機器が受けた干渉の状況を受信するステップをさらに含む。
【００１９】
さらなる可能な実施形態において、当該方法は、第２の端末機器のデータトラフィックに基づき、当該第２の端末機器に対応するリソースプールを調整するステップと、当該第２の端末機器に対応するリソースプールについての調整に関する指示情報を含む第５のリソースプール調整情報を送信するステップとをさらに含む。
【００２０】
さらなる可能な実施形態において、第２の端末機器のデータトラフィックに基づき、当該第２の端末機器に対応するリソースプールを調整する前記ステップは、当該第２の端末機器のデータトラフィックが第４の所定値より大きい場合に、当該第２の端末機器に対応するリソースプールを、対応する端末機器の数がより少ないリソースプールに変更するか、もしくは当該第２の端末機器に対応するリソースプールのリソースを増加し、または当該第２の端末機器のデータトラフィックが第５の所定値より小さい場合に、当該第２の端末機器に対応するリソースプールを、対応する端末機器の数がより多いリソースプールに変更するか、もしくは当該第２の端末機器に対応するリソースプールのリソースを低減することを含む。
【００２１】
さらなる可能な実施形態において、当該方法は、第３の端末機器のアクセス試行回数に基づき、当該第３の端末機器に対応するリソースプールを調整するステップと、当該第３の端末機器に対応するリソースプールについての調整に関する指示情報を含む第６のリソースプール調整情報を送信するステップとをさらに含む。
【００２２】
さらなる可能な実施形態において、第３の端末機器のアクセス試行回数に基づき、当該第３の端末機器に対応するリソースプールを調整する前記ステップは、当該第３の端末機器のアクセス試行回数が第６の所定値より大きい場合に、当該第３の端末機器に対応するリソースプールを、対応する端末機器の数がより少ないリソースプールに変更するか、もしくは当該第３の端末機器に対応するリソースプールのリソースを増加し、または当該第３の端末機器のアクセス試行回数が第７の所定値より小さい場合に、当該第３の端末機器に対応するリソースプールを、対応する端末機器の数がより多いリソースプールに変更するか、もしくは当該第３の端末機器に対応するリソースプールのリソースを低減することを含む。
【００２３】
さらなる可能な実施形態において、当該方法は、当該第３の端末機器により送信された当該第３の端末機器のアクセス試行回数を受信するステップをさらに含む。
【００２４】
さらなる可能な実施形態において、当該リソースプール割当情報を送信する前記ステップは、ブロードキャストまたは上位レイヤのシグナリングにより、リソースプール割当情報を送信することを含む。
【００２５】
さらなる可能な実施形態において、ブロードキャストまたは上位レイヤのシグナリングにより、リソースプール調整情報を送信する。
【００２６】
本発明に係る情報伝送方法において、リソースプールを割り当て、リソースプールを動的に調整することにより、コンテンションベースのデータ伝送を行う時に衝突が生じる確率を低減して、アクセス成功率を向上させることができる。
【００２７】
本発明の第２の態様における実施例として、情報伝送方法を提供する。当該方法は、ネットワーク機器により送信された、コンテンションベースによりアクセスされたリソースの複数のリソースプールにおける各リソースプールのリソース情報および関連情報を含むリソースプール割当情報を受信するステップと、当該リソースプール割当情報に基づき、第１の端末機器に対応するリソースプールを決定するステップと、当該第１の端末機器に対応するリソースプールにおけるリソースによりデータの伝送を行うステップとを含む。
【００２８】
本発明に係る情報伝送方法において、リソースプール割当情報に基づき対応するリソースプールを決定し、且つ当該リソースプールのリソースを選択してデータの伝送を行うことにより、コンテンションベースのデータ伝送を行う時に衝突が生じる確率を低減することができる。
【００２９】
さらなる可能な実施形態において、当該関連情報は、当該複数のリソースプールにおける各リソースプールに対応するサービス品質（ＱｏＳ）レベルの情報を含み、
当該リソースプール割当情報に基づき、第１の端末機器に対応するリソースプールを決定する前記ステップは、当該リソースプール割当情報に基づき、当該第１の端末機器のＱｏＳレベルに対応するリソースプールを決定することを含む。
【００３０】
さらなる可能な実施形態において、当該関連情報は、当該複数のリソースプールにおける各リソースプールに対応するアプリケーションの優先度の情報を含み、
当該リソースプール割当情報に基づき、第１の端末機器に対応するリソースプールを決定する前記ステップは、当該リソースプール割当情報に基づき、当該第１の端末機器のアプリケーションの優先度に対応するリソースプールを決定することを含む。
【００３１】
さらなる可能な実施形態において、当該関連情報は、当該複数のリソースプールにおける各リソースプールに対応する端末機器の情報を含む。
【００３２】
さらなる可能な実施形態において、当該方法は、ネットワーク機器により送信された、当該第１の端末機器に対応するリソースプールについての調整に関する指示情報を含むリソースプール調整情報を受信するステップと、当該リソースプール調整情報に基づき、当該第１の端末機器に対応するリソースプールを決定するステップとをさらに含む。
【００３３】
本発明に係る情報伝送方法において、リソースプール割当情報およびにリソースプール調整情報に基づき、対応するリソースプールを決定し、且つ当該リソースプールのリソースを選択してデータの伝送を行うことにより、コンテンションベースのデータ伝送を行う時に衝突が生じる確率を低減して、アクセス成功率を向上させることができる。
【００３４】
本発明の第３の態様における実施例として、本発明の第１の態様、または第１の態様に係る任意の可能な実施形態による方法を実行するためのモジュールを含むネットワーク機器を提供する。
【００３５】
本発明の第４の態様における実施例として、本発明の第２の態様、または第２の態様に係る任意の可能な実施形態による方法を実行するためのモジュールを含む端末機器を提供する。
【００３６】
本発明の第５の態様における実施例として、プロセッサと、メモリと、通信インタフェースとを含むネットワーク機器を提供する。当該プロセッサは、メモリおよび通信インタフェースに接続される。当該メモリは指令を記憶し、当該プロセッサは当該指令を実行し、当該通信インタフェースにより、プロセッサの制御下においてその他のネットワーク要素と通信する。当該プロセッサは当該メモリに記憶される指令を実行する時、本発明の第１の態様、または第１の態様に係る任意の可能な実施形態による方法を実行する。
【００３７】
本発明の第６の態様における実施例として、プロセッサと、メモリと、通信インタフェースとを含む端末機器を提供する。当該プロセッサはメモリおよび通信インタフェースに接続される。当該メモリは指令を記憶し、当該プロセッサは当該指令を実行し、当該通信インタフェースにより、プロセッサの制御下においてその他のネットワーク要素と通信する。当該プロセッサは当該メモリに記憶される指令を実行する時、本発明の第２の態様、または第２の態様に係る任意の可能な実施形態による方法を実行する。
【００３８】
本発明の第７の態様における実施例として、本発明の第１の態様、または第１の態様に係る任意の可能な実施形態による方法を実行するための指令を含むコンピュータプログラムを記憶するためのコンピュータ読み取り可能な媒体を提供する。
【００３９】
本発明の第８の態様における実施例として、本発明の第２の態様、または第２の態様に係る任意の可能な実施形態による方法を実行するための指令を含むコンピュータプログラムを記憶するためのコンピュータ読み取り可能な媒体を提供する。
【図面の簡単な説明】
【００４０】
本願の実施例に係る発明を明瞭に説明するために、以下、実施例または従来技術の説明に用いられる図面を簡単に説明する。当然ながら、以下説明に係る図は、本発明の一部の実施例に過ぎず、当業者は創造的な作業を行うことなく、これらの図からその他の図を得ることもできる。
【００４１】
【図１】本発明の実施例が適用される通信システムを概略的に示す図である。
【図２】本発明の一実施例による情報伝送方法のプロセスを概略的に示す図である。
【図３】本発明のもう一つの実施例による情報伝送方法のプロセスを概略的に示す図である。
【図４】本発明の一実施例によるネットワーク機器を概略的に示すブロック図である。
【図５】本発明の一実施例による端末機器を概略的に示すブロック図である。
【図６】本発明のもう一つの実施例によるネットワーク機器を概略的に示すブロック図である。
【図７】本発明のもう一つの実施例による端末機器を概略的に示すブロック図である。
【発明を実施するための形態】
【００４２】
本発明の実施例における図を参照しながら、各実施例による発明を明瞭かつ完全に説明する。当然ながら、説明される実施例は、本発明の全ての実施例ではなく、その一部に過ぎない。当業者がこれらの実施例に基づき、創造的な作業を行うことなく得られるその他の全ての実施例は、いずれも本発明の保護範囲に含まれる。
【００４３】
図１は、本発明の実施例が適用される通信システムを概略的に示す図である。図１に示すように、ネットワーク１００は、ネットワーク機器１０２と、端末機器１０４、１０６、１０８、１１０、１１２、１１４とを含んでもよく、ネットワーク機器と端末機器は無線方式で接続される。図１は、１つのネットワーク機器を含むネットワークで説明しているが、本発明の実施例はこれに限定されず、当該ネットワークは１つ以上のネットワーク機器を含んでもよい。同様のように、ネットワークはより多い端末機器を含んでもよく、且つネットワーク機器はその他の機器を含んでもよい。
【００４４】
本発明では、端末機器に基づいて各実施例を説明する。当該端末機器は、ユーザ機器（Ｕｓｅｒ  Ｅｑｕｉｐｍｅｎｔ、略称ＵＥ）、アクセス端末、加入者ユニット、加入者局、移動局、遠隔局、遠隔端末、移動機器、ユーザ端末、端末、無線通信機器、ユーザ代理機器、またはユーザ装置であってもよい。そのうちアクセス端末は、セルラーホン、コードレス電話、セッション開始プロトコル（Ｓｅｓｓｉｏｎ  Ｉｎｉｔｉａｔｉｏｎ  Ｐｒｏｔｏｃｏｌ、略称ＳＩＰ）電話、無線ローカルループ（Ｗｉｒｅｌｅｓｓ  Ｌｏｃａｌ  Ｌｏｏｐ、略称ＷＬＬ）局、携帯情報端末（Ｐｅｒｓｏｎａｌ  Ｄｉｇｉｔａｌ  Ａｓｓｉｓｔａｎｔ、略称ＰＤＡ）、無線通信機能を備えるハンドヘルド機器、コンピューティング機器、無線モデムに接続されたその他の処理機器、車載機器、ウェアラブル端末、５Ｇネットワークで動作する端末機器または進化型地上波公共移動通信ネットワーク（Ｐｕｂｌｉｃ  Ｌａｎｄ  Ｍｏｂｉｌｅ  Ｎｅｔｗｏｒｋ、略称ＰＬＭＮ）で動作する端末機器等であってもよく、本発明は特に限定しない。
【００４５】
本発明では、ネットワーク機器に基づいて各実施例を説明する。当該ネットワーク機器は、ＧＳＭもしくはＣＤＭＡシステムで動作する基地局（Ｂａｓｅ  Ｔｒａｎｓｃｅｉｖｅｒ  Ｓｔａｔｉｏｎ、略称ＢＴＳ）、ＷＣＤＭＡシステムで動作する基地局（ＮｏｄｅＢ、略称ＮＢ）、ＬＴＥシステムで動作する進化型基地局（Ｅｖｏｌｕｔｉｏｎａｌ  ＮｏｄｅＢ、略称ｅＮＢあるいはｅＮｏｄｅＢ）、またはクラウド無線アクセスネットワーク（Ｃｌｏｕｄ  Ｒａｄｉｏ  Ａｃｃｅｓｓ  Ｎｅｔｗｏｒｋ、略称ＣＲＡＮ）環境で動作する無線コントローラであってもよく、中継局、アクセスポイント、車載機器、ウェアラブル端末および５Ｇネットワーク対応のネットワーク機器またはＰＬＭＮネットワークで動作するネットワーク機器など端末機器と通信するための機器であってもよい。
【００４６】
本発明の実施例において、用語「リソース」は、データを伝送するために使用されるリソースを意味し、周波数領域、時間領域、コード領域、シーケンスなどのリソースを含んでもよく、本発明では特に限定しない。
【００４７】
本発明の実施例において、コンテンションベースによりアクセスされたリソースを複数のリソースプールに区分する。様々な情報に基づいてリソースプールを区分することができ、本発明では特に限定しない。以下、各実施例について詳しく説明する。
【００４８】
図２は、本実施例による情報伝送方法２００のプロセスを概略的に示す図である。方法２００は、図１に示すネットワーク機器１０２などのネットワーク機器により実行される。図２に示すように、方法２００は、ステップＳ２１０と、ステップＳ２２０とを含み、
ステップＳ２１０において、コンテンションベースによりアクセスされたリソースの複数のリソースプールにおける各リソースプールのリソース情報および関連情報を含むリソースプール割当情報を決定し、
ステップＳ２２０において、当該リソースプール割当情報を送信する。
【００４９】
本実施例では、ネットワーク機器が、コンテンションベースによりアクセスされたリソースを複数のリソースプールに区分し、リソースプール割当情報を端末機器に送信することにより、端末機器は当該リソースプール割当情報に基づき対応するリソースプールを決定し、さらにリソースを選択してデータの伝送を行うことができる。コンテンションベースによりアクセスされたリソースが複数のリソースプールに区分されることにより、異なるリソースプールに対応する端末機器が同一のリソースを選択することはないため、衝突が生じる確率を低減することができる。
【００５０】
したがって、本実施例に係る情報伝送方法は、リソースプール割当情報により、異なる端末機器が異なるリソースプールのリソースを選択できるため、コンテンションベースのデータ伝送を行う時に衝突が生じる確率を低減することができる。
【００５１】
本実施例では、任意選択的に、ネットワーク機器がブロードキャストまたは上位レイヤのシグナリングにより、リソースプール割当情報を送信する。
【００５２】
なお、ネットワーク機器はその他のシグナリングにより、当該リソースプール割当情報を送信してもよく、本発明では特に限定しない。
【００５３】
本実施例では、様々な方式でリソースプールを割り当てることができ、これに対応して、当該リソースプール割当情報も様々な形式を有する。
【００５４】
任意選択的に、本発明の一実施例において、ネットワーク機器はサービス品質（Ｑｕａｌｉｔｙ  ｏｆ  Ｓｅｒｖｉｃｅ、ＱｏＳ）レベルに基づき、当該リソースプール割当情報を決定し、
この場合に、当該関連情報は、当該複数のリソースプールにおける各リソースプールに対応するＱｏＳレベルの情報を含む。
【００５５】
より詳しくは、本実施例において、ネットワーク機器はＱｏＳレベルに基づきリソースプールを割り当てる。例えば、当該サービスに３段階のＱｏＳレベルがある場合、ネットワーク機器は少なくとも３つのリソースプールを割り当て、且つ同一ＱｏＳのアクセスサービスを同一のリソースプールに配置する。一つの実施例において、ＱｏＳレベルが高い方が、対応するリソースプールに割り当てられる端末機器の数はより少なく、すなわちリソースプールのリソースはより多い。ネットワーク機器は、各リソースプールのリソース情報および各リソースプールに対応するＱｏＳレベルの情報を端末機器に送信する。端末機器はそのサービスのＱｏＳレベルに基づき、対応するリソースプールを決定して、リソースを選択してアクセスすることができる。
【００５６】
一つの実施例において、各端末機器は、異なるＱｏＳレベルのサービスをサポートし、同一の端末機器は、サービスによって、異なるリソースプールを使用して上りリンクアクセスを行う。
【００５７】
一つの実施例において、ネットワーク機器は、リソースプールの使用状況に基づき、リソースプールについて調整し、且つ当該調整を端末機器に報知する。
【００５８】
一つの実施例において、本発明の一実施例において、ネットワーク機器は、当該複数のリソースプールにおける第１のリソースプールのリソースが不足する場合に、当該複数のリソースプールにおける第２のリソースプールのリソースの一部を、ＱｏＳレベルが当該第２のリソースプールに対応するＱｏＳレベルより高い当該第１のリソースプールに調整し、
且つ、当該第１のリソースプールおよび当該第２のリソースプールについての調整を指示するための第１のリソースプール調整情報を送信する。
【００５９】
より詳しくは、高いＱｏＳレベルに対応するリソースプールが不足する場合に（アクセス成功率に基づき判定してもよい）、低いＱｏＳレベルに対応するリソースプール（低い順としてもよい）から一部のリソースを割り当ててもよい。次に、ネットワーク機器がリソースプール調整情報を送信して、上記リソースプールの調整を端末機器に報知する。
【００６０】
一つの実施例において、ブロードキャストまたは上位レイヤのシグナリングにより、リソースプール調整情報（下記各実施例におけるリソースプール調整情報を含む）を送信し、またはその他のシグナリングにより送信してもよく、本発明では特に限定しない。
【００６１】
任意選択的に、本発明の一実施例において、ネットワーク機器はアプリケーションの優先度に基づき、当該リソースプール割当情報を決定し、
この場合に、当該関連情報は、当該複数のリソースプールにおける各リソースプールに対応するアプリケーションの優先度の情報を含む。
【００６２】
より詳しくは、本実施例において、ネットワーク機器はアプリケーションの優先度に基づき、リソースプールを割り当てる。一つの実施例において、アプリケーションの優先度は、遅延、トラフィック、特定種類の情報、または特定のユーザ端末機器などの要件に基づき決定してもよい。一つの実施例において、ネットワーク機器がアプリケーションの優先度を決定した後、アプリケーションの優先度の高い順に（優先度が高い方がより重要である）リソースプールを割り当て、各リソースプールのサイズを決定する。例えば、アプリケーションの優先度が高い方は対応するリソースプールのリソースがより多い。ネットワーク機器は、各リソースプールのリソース情報および各リソースプールに対応するアプリケーションの優先度情報を端末機器に送信する。端末機器はそのアプリケーションの優先度に基づき、対応するリソースプールを決定し、リソースを選択してアクセスする。
【００６３】
任意選択的に、本発明の一実施例において、ネットワーク機器は、当該複数のリソースプールにおける第３のリソースプールのリソースが不足する場合に、当該複数のリソースプールにおける第４のリソースプールのリソースの一部を、アプリケーションの優先度が当該第４のリソースプールに対応するアプリケーションの優先度より高い当該第３のリソースプールに調整し、
且つ、当該第３のリソースプールおよび当該第４のリソースプールについての調整を指示するための第２のリソースプール調整情報を送信する。
【００６４】
より詳しくは、高いアプリケーションの優先度に対応するリソースプールが不足する場合に（アクセス成功率に基づき判定してもよい）、低いアプリケーションの優先度に対応するリソースプール（低い順としてもよい）から一部のリソースを割り当ててもよい。次に、ネットワーク機器がリソースプール調整情報を送信して、上記リソースプールの調整を端末機器に報知する。
【００６５】
任意選択的に、本発明の一実施例において、当該関連情報は、当該複数のリソースプールにおける各リソースプールに対応する端末機器の情報を含む。
【００６６】
すなわち、本実施例では、リソースプール割当情報が、各リソースプールのリソース情報および各リソースプールに対応する端末機器の情報を含んでもよい。
【００６７】
端末機器の情報は、当該端末機器の標識であってもよく、本発明では特に限定しない。
【００６８】
一つの実施例において、端末機器がどのリソースプールに対応するかは、様々な方法により決定することができ、本発明では特に限定しない。例えば、端末機器の優先度、位置情報または信号強度などの要件に基づき決定してもよい。
【００６９】
任意選択的に、本発明の一実施例において、ネットワーク機器は、受信信号強度に基づき、当該リソースプール割当情報を決定し、同一のリソースプールに対応する端末機器に対応する受信信号強度の差は所定範囲にある。
【００７０】
より詳しくは、ネットワーク機器が、端末機器により送信された信号を受信する受信信号強度に基づきリソースプールを割り当て、受信信号強度が近い端末機器を一つのリソースプールに区分することにより、信号強度の弱い端末機器は信号強度の強い端末機器によって遮蔽されることを避ける。一つの実施例において、端末機器は、ネットワーク機器により受信されたアクセス信号が近い信号強度を有するように、下りリンクの損失に基づきアクセス信号の送信電力を大略的に制御する。
【００７１】
任意選択的に、本発明の一実施例において、ネットワーク機器は、当該複数のリソースプールにおける第５のリソースプールに対応する検出率に基づき、当該第５のリソースプールに対応する端末機器の数を調整するか、または当該第５のリソースプールのリソースを調整し、
且つ、当該第５のリソースプールについての調整を指示するための第３のリソースプール調整情報を送信する。
【００７２】
より詳しくは、ネットワーク機器がリソースプールを動的に調整する。リソースプールについての調整は、リソースプールの端末機器の数についての調整でも、リソースプールのリソースについての調整であってもよい。例えば、リソースプールに対応する検出率および／またはリソースプールに対応する受信信号強度に基づき、リソースプールの端末機器の数またはリソースプールについて調整する。
【００７３】
任意選択的に、本発明の一実施例として、当該第５のリソースプールに対応する検出率が第１の所定値より低い場合に、当該第５のリソースプールに対応する端末機器の数を低減するか、もしくは当該第５のリソースプールのリソースを増加し、または当該第５のリソースプールに対応する検出率が第２の所定値より高い場合に、当該第５のリソースプールに対応する端末機器の数を増加するか、もしくは当該第５のリソースプールのリソースを低減する。
【００７４】
すなわち、あるリソースプールに対応する検出率が低い（または対応する受信信号強度が高く、対応する検出率が低い）場合に、当該リソースプールに対応する端末機器の数を低減するか、もしくは当該リソースプールのリソースを増加し、またはあるリソースプールに対応する検出率が高い場合に、当該リソースプールに対応する端末機器の数を増加するか、もしくは当該リソースプールのリソースを低減する。
【００７５】
任意選択的に、本発明の一実施例において、ネットワーク機器は、第１の端末機器が受けた干渉の状況に基づき、当該第１の端末機器に対応するリソースプールを調整し、
且つ、当該第１の端末機器に対応するリソースプールについての調整を指示するための第４のリソースプール調整情報を送信する。
【００７６】
より詳しくは、ネットワーク機器が、端末機器の受けた干渉の状況に基づき、端末機器に対応するリソースプールを調整する。
【００７７】
一つの実施例において、当該第１の端末機器の受けた干渉が第３の所定値より大きい場合に、当該第１の端末機器に対応するリソースプールを変更するか、または当該第１の端末機器に対応するリソースプールのリソースを増加する。
【００７８】
すなわち、ネットワーク機器は、端末機器の受けた干渉の状況に基づき、大きな干渉を受けた端末機器を特定し、当該端末機器をその他のリソースプールに割り当てることができる。
【００７９】
一つの実施例において、ネットワーク機器は、当該第１の端末機器により送信された、当該第１の端末機器が受けた干渉の状況を受信する。
【００８０】
任意選択的に、本発明の一実施例において、ネットワーク機器は、第２の端末機器のデータトラフィックに基づき、当該第２の端末機器に対応するリソースプールを調整し、
且つ、当該第２の端末機器に対応するリソースプールについての調整を指示するための第５のリソースプール調整情報を送信する。
【００８１】
より詳しくは、ネットワーク機器が、端末機器のデータトラフィックに基づきリソースプールを割り当て、リソースプールを調整することができる。
【００８２】
一つの実施例において、当該第２の端末機器のデータトラフィックが第４の所定値より大きい場合に、当該第２の端末機器に対応するリソースプールを、対応する端末機器の数がより少ないリソースプールに変更するか、もしくは当該第２の端末機器に対応するリソースプールのリソースを増加し、または当該第２の端末機器のデータトラフィックが第５の所定値より小さい場合に、当該第２の端末機器に対応するリソースプールを、対応する端末機器の数がより多いリソースプールに変更するか、もしくは当該第２の端末機器に対応するリソースプールのリソースを低減する。
【００８３】
すなわち、データトラフィックの大きい端末機器に対して、より多いリソースを割り当てる。例えば、当該端末機器に端末機器の数がより少ないリソースプールを割り当てるか、または当該端末機器に対応するリソースを増加する。逆の場合に、データトラフィックの小さい端末機器に対して、より少ないリソースを割り当てる。例えば、当該端末機器に端末機器の数がより多いリソースプールに割り当てるか、または当該端末機器に対応するリソースを低減する。
【００８４】
一つの実施例において、本発明の一実施例において、ネットワーク機器は、第３の端末機器のアクセス試行回数に基づき、当該第３の端末機器に対応するリソースプールを調整し、
且つ、当該第３の端末機器に対応するリソースプールについての調整を指示するための第６のリソースプール調整情報を送信する。
【００８５】
より詳しくは、ネットワーク機器が、端末機器のアクセス試行回数に基づきリソースプールを割り当て、リソースプールを調整することができる。
【００８６】
任意選択的に、当該第３の端末機器のアクセス試行回数が第６の所定値より大きい場合に、当該第３の端末機器に対応するリソースプールを、対応する端末機器の数がより少ないリソースプールに変更するか、もしくは当該第３の端末機器に対応するリソースプールのリソースを増加し、または当該第３の端末機器のアクセス試行回数が第７の所定値より小さい場合に、当該第３の端末機器に対応するリソースプールを、対応する端末機器の数がより多いリソースプールに変更するか、もしくは当該第３の端末機器に対応するリソースプールのリソースを低減する。
【００８７】
すなわち、アクセス試行回数の多い端末機器に対して、より多いリソースを割り当てる。例えば、当該端末機器に端末機器の数がより少ないリソースプールを割り当てるか、または当該端末機器に対応するリソースを増加する。逆の場合に、アクセス試行回数の少ない端末機器に対して、より少ないリソースを割り当てる。例えば、当該端末機器に端末機器の数がより多いリソースプールを割り当てるか、または当該端末機器に対応するリソースを低減する。
【００８８】
一つの実施例において、ネットワーク機器は、当該第３の端末機器により送信された当該第３の端末機器のアクセス試行回数を受信する。
【００８９】
例えば、端末機器は、アクセス試行回数をアップロード信号に付随させて、ネットワーク機器にアップロードする。
【００９０】
一つの実施例において、ネットワーク機器は、複数のリソースプールを一つの端末機器に割り当て、端末機器が一つのリソースプールへアクセスを試行して複数回失敗した場合に、別のリソースプールに切り替えて試行を継続する。
【００９１】
本実施例に係る情報伝送方法は、リソースプールを割り当て、リソースプールを動的に調整することにより、コンテンションベースのデータ伝送を行う時に衝突が生じる確率を低減して、アクセス成功率を向上させることができる。
【００９２】
上述した内容は、ネットワーク機器に基づいて本発明の実施例に係る情報伝送方法について説明している。以下、端末機器に基づいて当該情報伝送方法について説明する。
【００９３】
図３は、本実施例による情報伝送方法３００のプロセスを概略的に示す図である。方法３００は、図１に示す端末機器などの端末機器（以下、第１の端末機器とする）により実行される。図３に示すように、方法３００は、ステップＳ３１０と、ステップＳ３２０と、ステップＳ３３０とを含み、
ステップＳ３１０において、ネットワーク機器により送信された、コンテンションベースによりアクセスされたリソースの複数のリソースプールにおける各リソースプールのリソース情報および関連情報を含むリソースプール割当情報を受信し、
ステップＳ３２０において、当該リソースプール割当情報に基づき、第１の端末機器に対応するリソースプールを決定し、
ステップＳ３３０において、当該第１の端末機器に対応するリソースプールにおけるリソースによりデータの伝送を行う。
【００９４】
本実施例では、ネットワーク機器がコンテンションベースによりアクセスされたリソースを複数のリソースプールに区分し、リソースプール割当情報を端末機器に送信し、端末機器が当該リソースプール割当情報に基づき対応するリソースプールを決定し、さらにリソースを選択してデータの伝送を行う。コンテンションベースによりアクセスされたリソースが複数のリソースプールに区分されることにより、異なるリソースプールに対応する端末機器が同一のリソースを選択することはないため、衝突が生じる確率を低減することができる。
【００９５】
したがって、本実施例に係る情報伝送方法は、リソースプール割当情報に基づき対応するリソースプールを決定し、且つ当該リソースプールのリソースを選択してデータの伝送を行うことにより、コンテンションベースのデータ伝送を行う時に衝突が生じる確率を低減することができる。
【００９６】
任意選択的に、本発明の一実施例において、当該関連情報は、当該複数のリソースプールにおける各リソースプールに対応するサービス品質（ＱｏＳ）レベルの情報を含み、
当該第１の端末機器は、リソースプール割当情報に基づき、当該第１の端末機器のＱｏＳレベルに対応するリソースプールを決定する。
【００９７】
任意選択的に、本発明の一実施例において、当該関連情報は、当該複数のリソースプールにおける各リソースプールに対応するアプリケーションの優先度の情報を含み、
当該第１の端末機器は、当該リソースプール割当情報に基づき、当該第１の端末機器のアプリケーションの優先度に対応するリソースプールを決定する。
【００９８】
任意選択的に、本発明の一実施例において、当該関連情報は、当該複数のリソースプールにおける各リソースプールに対応する端末機器の情報を含む。
【００９９】
任意選択的に、本発明の一実施例において、当該第１の端末機器は、ネットワーク機器により送信された、当該第１の端末機器に対応するリソースプールについての調整を指示するためのリソースプール調整情報を受信し、
当該リソースプール調整情報に基づき、当該第１の端末機器に対応するリソースプールを決定する。
【０１００】
本実施例に係る情報伝送方法は、リソースプール割当情報およびにリソースプール調整情報に基づき対応するリソースプールを決定し、且つ当該リソースプールのリソースを選択してデータの伝送を行うことにより、コンテンションベースのデータ伝送を行う時に衝突が生じる確率を低減して、アクセス成功率を向上させることができる。
【０１０１】
なお、本実施例では、ネットワーク機器側について説明されるネットワーク機器と端末機器の対話、関連する特徴や機能などは、端末機器側に関する説明と対応しているため、ここで重複する説明を省略する。
【０１０２】
本発明の様々な実施例において、上記各ステップにつけた番号は、実行される順序を限定するものではなく、各ステップの実行される順序はその機能および内部倫理により決まるため、本実施例を実施するプロセスに対して限定を加えるものではない。
【０１０３】
上述した内容は、本実施例に係る情報伝送方法について詳しく説明している。以下、本実施例に係るネットワーク機器および端末機器について説明する。本発明の実施例に係るネットワーク機器および端末機器は、上記実施例に係る各方法を実施することができ、すなわち、以下各種機器における具体的な動作のプロセスについては、上記方法に関する実施例の対応するプロセスを参照されてもよい。
【０１０４】
図４は、本実施例によるネットワーク機器４００を概略的に示すブロック図である。図４に示すように、ネットワーク機器４００は、処理モジュール４１０と、送受信モジュール４２０とを含み、
処理モジュール４１０は、コンテンションベースによりアクセスされたリソースの複数のリソースプールにおける各リソースプールのリソース情報および関連情報を含むリソースプール割当情報を決定し、
送受信モジュール４２０は、当該リソースプール割当情報を送信する。
【０１０５】
本実施例に係るネットワーク機器は、リソースプール割当情報により、異なる端末機器が異なるリソースプールのリソースを選択するため、コンテンションベースのデータ伝送を行う時に衝突が生じる確率を低減することができる。
【０１０６】
任意選択的に、本発明の一実施例において、より詳しくは、処理モジュール４１０が、サービス品質（ＱｏＳ）レベルに基づき、当該複数のリソースプールにおける各リソースプールに対応するＱｏＳレベルの情報を含む当該リソースプール割当情報を決定する。
【０１０７】
任意選択的に、本発明の一実施例において、さらに、処理モジュール４１０は当該複数のリソースプールにおける第１のリソースプールのリソースが不足する場合に、当該複数のリソースプールにおける第２のリソースプールのリソースの一部を、ＱｏＳレベルが当該第２のリソースプールに対応するＱｏＳレベルより高い当該第１のリソースプールに調整し、
送受信モジュール４２０は、当該第１のリソースプールおよび当該第２のリソースプールについての調整を指示するための第１のリソースプール調整情報を送信する。
【０１０８】
任意選択的に、本発明の一実施例において、より詳しくは、処理モジュール４１０が、アプリケーションの優先度に基づき、当該リソースプール割当情報を決定し、
当該関連情報は、当該複数のリソースプールにおける各リソースプールに対応するアプリケーションの優先度の情報を含む。
【０１０９】
任意選択的に、本発明の一実施例において、さらに、処理モジュール４１０は当該複数のリソースプールにおける第３のリソースプールのリソースが不足する場合に、当該複数のリソースプールにおける第４のリソースプールのリソースの一部を、アプリケーションの優先度が当該第４のリソースプールに対応するアプリケーションの優先度より高い当該第３のリソースプールに調整し、
送受信モジュール４２０は、当該第３のリソースプールおよび当該第４のリソースプールについての調整を指示するための第２のリソースプール調整情報を送信する。
【０１１０】
任意選択的に、本発明の一実施例において、当該関連情報は、当該複数のリソースプールにおける各リソースプールに対応する端末機器の情報を含む。
【０１１１】
任意選択的に、本発明の一実施例において、より詳しくは、処理モジュール４１０が、受信信号強度に基づき当該リソースプール割当情報を決定し、同一のリソースプールに対応する端末機器に対応する受信信号強度の差は所定範囲にある。
【０１１２】
任意選択的に、本発明の一実施例において、さらに、処理モジュール４１０は、当該複数のリソースプールにおける第５のリソースプールに対応する検出率に基づき、当該第５のリソースプールに対応する端末機器の数を調整するか、または当該第５のリソースプールのリソースを調整し、
送受信モジュール４２０は、当該第５のリソースプールについての調整を指示するための第３のリソースプール調整情報を送信する。
【０１１３】
任意選択的に、本発明の一実施例において、より詳しくは、処理モジュール４１０が、当該第５のリソースプールに対応する検出率が第１の所定値より低い場合に、当該第５のリソースプールに対応する端末機器の数を低減するか、もしくは当該第５のリソースプールのリソースを増加し、または当該第５のリソースプールに対応する検出率が第２の所定値より高い場合に、当該第５のリソースプールに対応する端末機器の数を増加するか、もしくは当該第５のリソースプールのリソースを低減する。
【０１１４】
任意選択的に、本発明の一実施例において、さらに、処理モジュール４１０は、第１の端末機器が受けた干渉の状況に基づき、当該第１の端末機器に対応するリソースプールを調整し、
送受信モジュール４２０は、当該第１の端末機器に対応するリソースプールについての調整を指示するための第４のリソースプール調整情報を送信する。
【０１１５】
任意選択的に、本発明の一実施例において、より詳しくは、処理モジュール４１０が、当該第１の端末機器の受けた干渉が第３の所定値より大きい場合に、当該第１の端末機器に対応するリソースプールを変更するか、または当該第１の端末機器に対応するリソースプールのリソースを増加する。
【０１１６】
任意選択的に、本発明の一実施例において、さらに、送受信モジュール４２０は、当該第１の端末機器により送信された当該第１の端末機器が受けた干渉の状況を受信する。
【０１１７】
任意選択的に、本発明の一実施例において、さらに、処理モジュール４１０は、第２の端末機器のデータトラフィックに基づき、当該第２の端末機器に対応するリソースプールを調整し、
送受信モジュール４２０は、当該第２の端末機器に対応するリソースプールについての調整を指示するための第５のリソースプール調整情報を送信する。
【０１１８】
任意選択的に、本発明の一実施例において、より詳しくは、処理モジュール４１０が、当該第２の端末機器のデータトラフィックが第４の所定値より大きい場合に、当該第２の端末機器に対応するリソースプールを、対応する端末機器の数がより少ないリソースプールに変更するか、もしくは当該第２の端末機器に対応するリソースプールのリソースを増加し、または当該第２の端末機器のデータトラフィックが第５の所定値より小さい場合に、当該第２の端末機器に対応するリソースプールを、対応する端末機器の数がより多いリソースプールに変更するか、もしくは第２の端末機器に対応するリソースプールのリソースを低減する。
【０１１９】
任意選択的に、本発明の一実施例において、さらに、処理モジュール４１０は、第３の端末機器のアクセス試行回数に基づき、当該第３の端末機器に対応するリソースプールを調整し、
送受信モジュール４２０は、当該第３の端末機器に対応するリソースプールについての調整を指示するための第６のリソースプール調整情報を送信する。
【０１２０】
任意選択的に、本発明の一実施例において、より詳しくは、処理モジュール４１０が、当該第３の端末機器のアクセス試行回数が第６の所定値より大きい場合に、当該第３の端末機器に対応するリソースプールを、対応する端末機器の数がより少ないリソースプールに変更するか、もしくは当該第３の端末機器に対応するリソースプールのリソースを増加し、または第３の端末機器のアクセス試行回数が第７の所定値より小さい場合に、当該第３の端末機器に対応するリソースプールを、対応する端末機器の数がより多いリソースプールに変更するか、もしくは第３の端末機器に対応するリソースプールのリソースを低減する。
【０１２１】
任意選択的に、本発明の一実施例において、さらに、送受信モジュール４２０は、当該第３の端末機器により送信された当該第３の端末機器のアクセス試行回数を受信する。
【０１２２】
任意選択的に、本発明の一実施例において、詳しくは、送受信モジュール４２０が、ブロードキャストまたは上位レイヤのシグナリングにより、リソースプール割当情報を送信する。
【０１２３】
本発明の実施例に係るネットワーク機器は、リソースプールを割り当て、リソースプールを動的に調整することにより、コンテンションベースのデータ伝送を行う時に衝突が生じる確率を低減して、アクセス成功率を向上させることができる。
【０１２４】
本実施例によるネットワーク機器４００は、本発明の実施例に係る情報伝送方法におけるネットワーク機器に対応してもよく、且つネットワーク機器４００における各モジュールの上記動作とその他の動作、および／または機能は、上記各方法の対応するプロセスを実現するためのものであるため、ここで重複する説明を省略する。
【０１２５】
図５は、本実施例による端末機器５００を概略的に示すブロック図である。図５に示すように、端末機器５００は、送受信モジュール５１０と、処理モジュール５２０とを含み、
送受信モジュール５１０は、ネットワーク機器により送信された、コンテンションベースによりアクセスされたリソースの複数のリソースプールにおける各リソースプールのリソース情報および関連情報を含むリソースプール割当情報を受信し、
処理モジュール５２０は、当該リソースプール割当情報に基づき、当該端末機器に対応するリソースプールを決定し、当該端末機器に対応するリソースプールにおけるリソースによりデータの伝送を行う。
【０１２６】
本実施例に係るネットワーク機器は、リソースプール割当情報に基づき対応するリソースプールを決定し、且つ当該リソースプールのリソースを選択してデータの伝送を行うことにより、コンテンションベースのデータ伝送を行う時に衝突が生じる確率を低減することができる。
【０１２７】
任意選択的に、本発明の一実施例において、当該関連情報は、当該複数のリソースプールにおける各リソースプールに対応するサービス品質（ＱｏＳ）レベルの情報を含み、
処理モジュール５２０は、当該リソースプール割当情報に基づき、当該端末機器のＱｏＳレベルに対応するリソースプールを決定する。
【０１２８】
任意選択的に、本発明の一実施例において、当該関連情報は、当該複数のリソースプールにおける各リソースプールに対応するアプリケーションの優先度の情報を含み、
より詳しくは、処理モジュール５２０が、当該リソースプール割当情報に基づき、当該端末機器のアプリケーションの優先度に対応するリソースプールを決定する。
【０１２９】
任意選択的に、本発明の一実施例において、当該関連情報は、当該複数のリソースプールにおける各リソースプールに対応する端末機器の情報を含む。
【０１３０】
任意選択的に、本発明の一実施例において、さらに、送受信モジュール５１０は、ネットワーク機器により送信された、当該端末機器に対応するリソースプールについての調整を指示するためのリソースプール調整情報を受信し、
処理モジュール５２０は、当該リソースプール調整情報に基づき、当該端末機器に対応するリソースプールを決定する。
【０１３１】
本実施例に係る端末機器は、リソースプール割当情報およびにリソースプール調整情報に基づき対応するリソースプールを決定し、且つ当該リソースプールのリソースを選択してデータの伝送を行うことにより、コンテンションベースのデータ伝送を行う時に衝突が生じる確率を低減して、アクセス成功率を向上させることができる。
【０１３２】
本実施例による端末機器５００は、本発明の実施例に係る情報伝送方法における端末機器に対応してもよく、且つ端末機器５００における各モジュールの上記動作とその他の動作、および／または機能は、上記各方法の対応するプロセスを実現するためのものであるため、ここで重複する説明を省略する。
【０１３３】
図６は、本発明のもう一つの実施例によるネットワーク機器の構造を概略的に示す図である。当該ネットワーク機器は、少なくとも１つのプロセッサ６０２（例えば、ＣＰＵ）と、少なくとも１つのネットワークインタフェース６０５またはその他の通信インタフェースと、メモリ６０６と、これらの構成要素間の接続および通信を実現するための少なくとも１つの通信バス６０３とを含む。プロセッサ６０２は、メモリ６０６に記憶されるコンピュータプログラムなど実行可能モジュールを実行する。メモリ６０６は、高速ランダムアクセスメモリ（Ｒａｎｄｏｍ  Ａｃｃｅｓｓ  Ｍｅｍｏｒｙ、ＲＡＭ）を含み、または不揮発性メモリ（ｎｏｎ−ｖｏｌａｔｉｌｅ  ｍｅｍｏｒｙ）、例えば、少なくとも１つの磁気ディスクを含んでもよい。少なくとも１つの（有線または無線形式の）ネットワークインタフェース６０５によって、少なくとも１つのその他のネットワーク要素との通信接続を実現する。
【０１３４】
さらなる可能な実施形態において、メモリ６０６には、本発明の上記様々な実施例による方法を実行するためのプログラム６０６１が記憶される。
【０１３５】
図７は、本発明のもう一つの実施例による端末機器の構造を概略的に示す図である。少なくとも１つのプロセッサ７０２（例えば、ＣＰＵ）と、少なくとも１つのネットワークインタフェース７０５またはその他の通信インタフェースと、メモリ７０６と、これらの構成要素間の接続および通信を実現するための少なくとも１つの通信バス７０３とを含む。プロセッサ７０２は、メモリ７０６に記憶されるコンピュータプログラムなど実行可能モジュールを実行する。メモリ７０６は、高速ランダムアクセスメモリ（Ｒａｎｄｏｍ  Ａｃｃｅｓｓ  Ｍｅｍｏｒｙ、ＲＡＭ）を含み、または不揮発性メモリ（ｎｏｎ−ｖｏｌａｔｉｌｅ  ｍｅｍｏｒｙ）、例えば、少なくとも１つの磁気ディスクを含んでもよい。少なくとも１つの（有線または無線形式の）ネットワークインタフェース７０５によって、少なくとも１つのその他のネットワーク要素との通信接続を実現する。
【０１３６】
さらなる可能な実施形態において、メモリ７０６には、本発明の上記様々な実施例による方法を実行するためのプログラム７０６１が記憶される。
【０１３７】
なお、本発明の実施例として挙げられる具体例は、当業者が本発明の実施例を理解しやすくするためのものに過ぎず、当該実施例の範囲に限定を加えるものではない。
【０１３８】
本明細書で使用される「および／または」という用語は、関連する対象の相関関係を説明するためのものであり、３種類の関係が存在することを意味する。例えば、Ａおよび／またはＢは、Ａが単独で存在する場合、ＡおよびＢが同時に存在する場合、Ｂが単独で存在する場合を表すことができる。本明細書で使用される記号「／」は一般的に、それによって繋がる対象が「または」という関係にあることを表す。
【０１３９】
当業者にとって自明なように、本明細書に開示されている実施例に記載の各例示的なユニットやアルゴリズムおよびステップは、電子ハードウェア、コンピュータソフトウェアまたは両者の組み合わせにより実施することができる。ハードウェアとソフトウェアの互換性を明瞭に説明するために、上述した説明において機能に従って各例の構成およびステップについて一般的な説明を行っている。これらの機能をハードウェアとして実行するかソフトウェアとして実行するかは、該当発明の特定の用途および設計上の制限条件により決まる。当業者は特定の用途ごとに異なる方法を用いて該当機能を実施することができるが、このような実施は、本発明の範囲を逸脱するものではない。
【０１４０】
当業者にとって自明なように、本明細書に記載のシステム、機器およびユニットの具体的な動作プロセスについては、上記方法に関する実施例の対応するプロセスを参照されてもよいため、詳細な説明が省略される。
【０１４１】
本発明のいくつかの実施例に係るシステム、機器および方法は、その他の形態により実施することもできる。例えば、本明細書に記載の装置に関する実施例は、例示的なものに過ぎない。上述したとおり各ユニットを設定しているのは、論理機能上の分割に過ぎず、別の形態として分割して実施することもでき、例えば、複数のユニットまたは部品を別のシステムに組み合わせもしくは集積させたり、または一部の特徴を反映させず、実行しなかったりしてもよい。説明される直接的な接続または通信接続など部品間の接続は、いくつかのインタフェース、装置またはユニットを用いる間接的接続または通信接続とすることができ、電気的形態、機械的形態またはその他の形態であってもよい。
【０１４２】
分離される部品として説明される上記ユニットは、物理的に分離しても、分離しなくてもよい。ユニットとして示される部品は、物理的なユニットでも、物理的なユニットでなくてもよい。すなわち、同一の場所に設けられても、複数のネットワークユニットに配置されてもよい。必要に応じて、一部のユニットだけを用いるか、または全てのユニットを使用して当該発明の目的を達成することができる。
【０１４３】
また、本発明の実施例において、各機能ユニットが１つの処理ユニットに集積されてもよいが、各ユニットが物理的な部品として単独で存在するか、または２つ以上のユニットが１つのユニットに集積されてもよい。このうち集積されたユニットは、ハードウェアの形でも、ソフトウェアによる機能ユニットの形でも実施することができる。
【０１４４】
前記集積されたユニットは、ソフトウェアによる機能ユニットの形で実施され、且つ独立する製品として販売または使用する場合に、コンピュータ読み取り可能な記憶媒体に記憶されてもよい。これにより、本願に係る発明の趣旨、すなわち従来技術に対して貢献する発明または当該発明の全てもしくはその一部は、ソフトウェア製品の形で表現されてもよい。当該コンピュータソフトウェア製品は、記憶媒体に記憶され、且つパソコン、サーバ、またはネットワーク機器等のコンピュータデバイスに本発明の各実施例による方法の全てのステップまたはその一部を実行させるためのいくつかの指令を含む。前記記憶媒体は、ＵＳＢフラッシュドライブ、モバイルハードディスク、読み出し専用メモリ（Ｒｅａｄ−Ｏｎｌｙ  Ｍｅｍｏｒｙ、略称ＲＯＭ）、ランダムアクセスメモリ（Ｒａｎｄｏｍ  Ａｃｃｅｓｓ  Ｍｅｍｏｒｙ、略称ＲＡＭ）、磁気ディスクまたはコンパクトディスクなどプロクラムコードを記憶可能な様々な媒体を含む。
【０１４５】
本明細書に記載される内容は、本発明の具体的な実施形態に過ぎず、本発明の保護範囲はこれだけに限定されない。当業者が本発明に開示されている技術範囲において容易に想到し得る変更や置換などは、いずれも本発明の保護範囲に含まれる。したがって、本発明の保護範囲は、特許請求の範囲に記載される内容に準拠する。
【手続補正２】
【補正対象書類名】特許請求の範囲
【補正対象項目名】全文
【補正方法】変更
【補正の内容】
【特許請求の範囲】
【請求項１】
情報伝送方法であって、
コンテンションベースによりアクセスされたリソースの複数のリソースプールにおける各リソースプールのリソース情報および関連情報を含むリソースプール割当情報を決定するステップと、
前記リソースプール割当情報を送信するステップと
を含むことを特徴とする情報伝送方法。
【請求項２】
リソースプール割当情報を決定する前記ステップは、
サービス品質（ＱｏＳ）レベルに基づき、前記リソースプール割当情報を決定することを含み、
前記関連情報が、前記複数のリソースプールにおける各リソースプールに対応するＱｏＳレベルの情報を含む、
ことを特徴とする請求項１に記載の方法。
【請求項３】
前記方法は、
前記複数のリソースプールにおける第１のリソースプールのリソースが不足する場合に、前記複数のリソースプールにおける第２のリソースプールのリソースの一部を、ＱｏＳレベルが前記第２のリソースプールに対応するＱｏＳレベルより高い前記第１のリソースプールに調整するステップと、
前記第１のリソースプールおよび前記第２のリソースプールについての調整に関する指示情報を含む第１のリソースプール調整情報を送信するステップと
をさらに含むことを特徴とする請求項２に記載の方法。
【請求項４】
リソースプール割当情報を決定する前記ステップは、
アプリケーションの優先度に基づき前記リソースプール割当情報を決定することを含み、
前記関連情報は、前記複数のリソースプールにおける各リソースプールに対応するアプリケーションの優先度の情報を含む、
ことを特徴とする請求項１に記載の方法。
【請求項５】
前記方法は、
前記複数のリソースプールにおける第３のリソースプールのリソースが不足する場合に、前記複数のリソースプールにおける第４のリソースプールのリソースの一部を、アプリケーションの優先度が前記第４のリソースプールに対応するアプリケーションの優先度より高い前記第３のリソースプールに調整するステップと、
前記第３のリソースプールおよび前記第４のリソースプールについての調整に関する指示情報を含む第２のリソースプール調整情報を送信するステップと
をさらに含むことを特徴とする請求項４に記載の方法。
【請求項６】
前記関連情報は、前記複数のリソースプールにおける各リソースプールに対応する端末機器の情報を含むことを特徴とする請求項１に記載の方法。
【請求項７】
リソースプール割当情報を決定する前記ステップは、受信信号強度に基づき、前記リソースプール割当情報を決定することを含み、
同一のリソースプールに対応する端末機器に対応する受信信号強度の差は、所定範囲にある、
ことを特徴とする請求項６に記載の方法。
【請求項８】
前記方法は、
前記複数のリソースプールにおける第５のリソースプールに対応する検出率に基づき、前記第５のリソースプールに対応する端末機器の数を調整するか、または前記第５のリソースプールのリソースを調整するステップと、
前記第５のリソースプールについての調整に関する指示情報を含む第３のリソースプール調整情報を送信するか、もしくは第１の端末機器が受けた干渉の状況に基づき、前記第１の端末機器に対応するリソースプールを調整するステップと
前記第１の端末機器に対応するリソースプールについての調整に関する指示情報を含む第４のリソースプール調整情報を送信するか、もしくは第２の端末機器のデータトラフィックに基づき、前記第２の端末機器に対応するリソースプールを調整するステップと、
前記第２の端末機器に対応するリソースプールについての調整に関する指示情報を含む第５のリソースプール調整情報を送信するか、もしくは第３の端末機器のアクセス試行回数に基づき、前記第３の端末機器に対応するリソースプールを調整するステップと、
前記第３の端末機器に対応するリソースプールについての調整に関する指示情報を含む第６のリソースプール調整情報を送信するステップと
をさらに含むことを特徴とする請求項６に記載の方法。
【請求項９】
情報伝送方法であって、
ネットワーク機器により送信された、コンテンションベースによりアクセスされたリソースの複数のリソースプールにおける各リソースプールのリソース情報および関連情報を含むリソースプール割当情報を受信するステップと、
前記リソースプール割当情報に基づき、第１の端末機器に対応するリソースプールを決定するステップと、
前記第１の端末機器に対応するリソースプールにおけるリソースによりデータの伝送を行うステップと
を含むことを特徴とする情報伝送方法。
【請求項１０】
前記関連情報は、前記複数のリソースプールにおける各リソースプールに対応するサービス品質（ＱｏＳ）レベルの情報を含み、
前記リソースプール割当情報に基づき、第１の端末機器に対応するリソースプールを決定する前記ステップは、
前記リソースプール割当情報に基づき、前記第１の端末機器のＱｏＳレベルに対応するリソースプールを決定する、
ことを含むことを特徴とする請求項９に記載の方法。
【請求項１１】
前記関連情報は、前記複数のリソースプールにおける各リソースプールに対応するアプリケーションの優先度の情報を含み、
前記リソースプール割当情報に基づき、第１の端末機器に対応するリソースプールを決定する前記ステップは、
前記リソースプール割当情報に基づき、前記第１の端末機器のアプリケーションの優先度に対応するリソースプールを決定する、
ことを含むことを特徴とする請求項９に記載の方法。
【請求項１２】
前記関連情報は、前記複数のリソースプールにおける各リソースプールに対応する端末機器の情報を含むことを特徴とする請求項９に記載の方法。
【請求項１３】
前記方法は、
ネットワーク機器により送信された、前記第１の端末機器に対応するリソースプールについての調整を指示するためのリソースプール調整情報を受信するステップと、
前記リソースプール調整情報に基づき、前記第１の端末機器に対応するリソースプールを決定するステップと
をさらに含むことを特徴とする請求項９〜１２のいずれか１項に記載の方法。
【請求項１４】
ネットワーク機器であって、
プロセッサと、ネットワークインタフェースと、指令を記憶するメモリとを含み、
前記プロセッサは、前記指令を実行すると、請求項１〜８のいずれか１項に記載の情報伝送方法を実行する、
ことを特徴とするネットワーク機器。
【請求項１５】
端末機器であって、
プロセッサと、ネットワークインタフェースと、指令を記憶するメモリとを含み、
前記プロセッサは、前記指令を実行すると、請求項９〜１３のいずれか１項に記載の情報伝送方法を実行する、
ことを特徴とする端末機器。
【国際調査報告】
2019534585.tif 000010
2019534585.tif 000011
2019534585.tif 000012
2019534585.tif 000013